(57)【要約】   【課題】    ブラジャーの着用時に、ブラカップの外周の乳房の基底ラインに備えられたワイヤーによる違和感または威圧感を改善解消し、ブラカップの外周に備えられたワイヤーによる乳房の両サイドと下部を的圧にて適切な補正を行うブラジャーを提供する。   【解決手段】  ブラカップ部の外周である乳房の基底ラインに沿って設けられているワイヤーを長手方向内側ブラカップに面した２箇所に縦方向に溝を設け、溝の形をＶ字型としワイヤーを溝によって第１ワイヤー区間と第２ワイヤー区間と第３ワイヤー区間の３区間に分けて、Ｖ字型の溝を基点に横方向に対して角度可変機能を持たせ乳房を胸の中心側と乳房下部と脇側に分けてワイヤーによる的圧にて乳房をブラカップ内に包み込み補正させるワイヤー機構を備えるブラジャー。    【選択図】      図１
2020133039.tif 000002
【特許請求の範囲】
【請求項１】
女性の左右の乳房を覆い補正する左右独立した乳房を包む円錐形の形状としたブラカップと前記ブラカップの下辺から前記ブラカップの脇にかけて側方に延びるベルト部及び前記ブラカップの上部を始点に前記ベルトの上辺を終点としたストラップと左右のベルトを背中で連結する前記ベルトの末端に取り付けられた係止台とストレッチテープによって構成されたブラジャーにあって、前記ブラカップの外周である乳房の基底ラインに沿って設けられている長手方向に半円形の形状のワイヤーにおいて、前記ワイヤーは前記ブラカップに面した長手方向内側の２箇所に縦方向の溝とした第１溝と第２溝が設けられ、前記ブラカップに面した長手方向内側の２箇所に設けられた前記第１溝と前記第２溝を基点として前記ワイヤーを第１ワイヤー区間と第２ワイヤー区間と第３ワイヤー区間の３区間に分けて、２箇所の前記第１溝と前記第２溝を基点に前記ワイヤーを横方向に対して角度可変機能を持たせ乳房をブラカップ内に包み込み補正させるように構成したことを特徴とするブラジャー。
【請求項２】
前記ブラカップの外周である乳房の基底ラインに沿って前記ブラカップに面した長手方向内側の２箇所に設けられた前記第１溝と前記第２溝を基点として前記第１ワイヤー区間と前記第２ワイヤー区間と前記第３ワイヤー区間の３区間に分けられた前記ワイヤーにおいて、前記第１ワイヤー区間を前記ブラカップ外周上の胸の中心に位置する前記ワイヤー末端を始点として前記ブラカップの下部の手前を終点とし、この前記第１ワイヤー区間の終点の前記ブラカップの下部の手前の位置に前記第１溝が設けられ、前記第３ワイヤー区間を前記ブラカップ外周上の脇に位置する末端を始点とし前記ブラカップの下部の手前を終点とし、この前記第３ワイヤー区間の終点の前記ブラカップの下部の手前の位置に前記第２溝が設けられ、前記第１溝と前記第２溝にはさまれた前記ブラカップの下部部分の区間を前記第２ワイヤー区間とすることを特徴とする請求項１に記載のブラジャー。
【請求項３】
前記ブラカップの外周である乳房の基底ラインに沿って前記ブラカップに面した長手方向内側の２箇所に設けられた前記第１溝と前記第２溝によって前記第１ワイヤー区間と前記第２ワイヤー区間と前記第３ワイヤー区間の３区間とする前記ワイヤーにおいて、前記第１溝と前記第２溝の溝の形をＶ字型とし前記第１溝と前記第２溝のＶ字型溝の深さを０．１ｍｍ〜１．５ｍｍとすることを特徴とする請求項１と請求項２に記載のブラジャー。
【請求項４】
女性の左右の乳房を覆い補正する左右独立した乳房を包む円錐形の形状としたブラカップと前記ブラカップの下辺から前記ブラカップの脇にかけて側方に延びるベルト部及び前記ブラカップの上部を始点に前記ベルトの上辺を終点としたストラップと左右のベルトを背中で連結する前記ベルトの末端に取り付けられた係止台とストレッチテープによって構成されたブラジャーにあって、乳房を包む円錐形の形状としたブラカップの外周である乳房の基底ラインより２ｍｍ〜１５ｍｍの範囲内にて内側に沿って設けられている長手方向に半円形の形状のワイヤーにおいて、前記ブラカップの外周である乳房の基底ラインより２ｍｍ〜１５ｍｍの範囲内にて内側に沿って設けられている長手方向に半円形の形状の前記ワイヤーは、前記ブラカップに面した長手方向内側の２箇所に縦方向の溝とした第３溝と第４溝が設けられ、前記ブラカップに面した長手方向内側の２箇所に設けられた前記第３溝と前記第４溝を基点として前記ワイヤーを第１ワイヤー区間と第２ワイヤー区間と第３ワイヤー区間の３区間に分けて、２箇所の前記第３溝と前記第４溝を基点に前記ワイヤーを横方向に対して角度可変機能を持たせ乳房をブラカップ内に包み込み補正させるように構成したことを特徴とするブラジャー。
【請求項５】
前記ブラカップの外周である乳房の基底ラインより２ｍｍ〜１５ｍｍの範囲内にて内側に沿って設けられ、前記ブラカップに面した長手方向内側の２箇所に設けられた前記第３溝と前記第４溝によって前記第１ワイヤー区間と前記第２ワイヤー区間と前記第３ワイヤー区間の３区間とする前記ワイヤーにおいて、前記第１ワイヤー区間を前記ブラカップ外周上の胸の中心に位置する前記ワイヤー末端を始点とし前記ブラカップの下部の手前を終点とし、この前記第１ワイヤー区間の終点の前記ブラカップの下部の手前の位置に前記第３溝が設けられ、前記第３ワイヤー区間を前記ブラカップ外周上の脇に位置する末端を始点とし前記ブラカップの下部の手前を終点とし、この前記第３ワイヤー区間の終点の前記ブラカップの下部の手前の位置に前記第４溝が設けられ、前記第３溝と前記第４溝にはさまれた前記ブラカップの下部部分の区間を前記第２ワイヤー区間とすることを特徴とする請求項４に記載のブラジャー。
【請求項６】
前記ブラカップの外周である乳房の基底ラインより２ｍｍ〜１５ｍｍの範囲内にて内側に沿って設けられ、前記ブラカップに面した長手方向内側の２箇所に設けられた前記第３溝と前記第４溝によって前記第１ワイヤー区間と前記第２ワイヤー区間と前記第３ワイヤー区間の３区間とする前記ワイヤーにおいて、前記第３溝と前記第４溝の溝の形をＶ字型とし、前記第３溝と前記第４溝のＶ字型溝の深さを０．１ｍｍ〜１．５ｍｍとすることを特徴とする請求項４と請求項５に記載のブラジャー。
【請求項７】
前記ワイヤーの形状は、円形又は楕円形のどちらの形状が選択され、前記ワイヤーの材質は、金属製のステンレススチール、アモルファス合金、形状記憶合金、プラスチック素材、繊維強化プラスチックから選択されることを特徴とする請求項１〜請求項６に記載のブラジャー。
【発明の詳細な説明】
【技術分野】
【０００１】
本発明は女性用衣料である女性の左右の乳房を覆い補正する左右独立した乳房を包む円錐形の形状としたブラカップとブラカップの下辺からブラカップの脇にかけて側方に延びるベルト部及びブラカップの上部を始点にベルトの上辺を終点としたストラップと左右のベルトを背中で連結するベルトの末端に取り付けられた係止台とストレッチテープによって構成されたブラジャーにおいて、ブラカップの外周に沿って設けられている長手方向に半円形の形状のワイヤーを長手方向に内側２箇所に縦方向の溝を設け、その溝を基点にワイヤーを３区間に分けて乳房をブラカップ内に包み込み補正させるように構成したブラカップ部の外周にワイヤー機構を備えるブラジャーに関するものである。
【背景技術】
【０００２】
従来の女性用下着であるブラジャーでは、ブラカップの外周に沿うように半円状に形成された金属製または樹脂製のワイヤーを生地に縫いつけ、その半円状に形成された金属製または樹脂製のワイヤーによる締め付けによって左右おのおのの乳房を補正する構造となっている。
【０００３】
ところが、ブラカップの外周に沿うように半円状に形成された金属製または樹脂製のワイヤーにより、乳房の締め付けてることにより乳房を補正する手段として用いられているが、金属製または樹脂製のワイヤー自体固く、柔軟性に欠けいる。これに伴ってブラジャーの着用時にワイヤー周辺の身体にゴツゴツ感を覚え、違和感を感じる問題があった。また金属製または樹脂製のワイヤーによる乳房への柔軟性の欠けた強い締め付けは、ワイヤーの身体への食い込みなどに伴う威圧感に関する問題も生じている。ワイヤーの身体への食い込みは、身体とワイヤーが擦れたり身体にワイヤーの痕が残ったりするなどの肌荒れの問題も伴っている。
【０００４】
そこでブラカップの外周に沿うように半円状に形成された金属製または樹脂製のワイヤーに関して幾つか考案されている。例えば特許文献１では、カップ部と土台部とワイヤー及び肩紐等からなる衣類において、前記カップ部下方周縁にワイヤーを固着して配設するとともに該カップ部と土台部とを伸縮性に富んだ編生地で連結して構成したカップ部を有する衣類が考案されている。特許文献２ではカップ部の下辺部に柔軟性に富んだワイヤーを設け、且つワイヤーの脇側をブラジャーの前中心水平線以下になるように設け、更にカップ部の脇部側に非伸縮性のサイドパネルを設けると共に、上方部を延出して肩紐部の一部を形成するように構成したブラジャーが考案されている。      
【０００５】
ところが特許文献１では、カップ部の下方周辺部に装着されたワイヤーの脇部先端側が歪んで乳房の脇部側や下方部に食い込み、肌に苦痛与える恐れを考量し、ワイヤーが固着しているカップ部と土台部を別体として遊離させ伸縮性に富んだ編生地で連結して構成したブラジャーであるが、ワイヤーの構造を変えることでワイヤーがブラカップを介して乳房に的圧になることについてのワイヤー自体の構造に関しては触れられていない。特許文献２では、カップ部が横方向に引っ張られた時、ワイヤーが横方向に開いてカップ部の中心部が前方に浮き上がり、カップ部が変形するのみならず、更にワイヤーが開くときに肌側を押圧若しくは強圧して苦痛を与える事を考量し、カップ部の下辺部に柔軟性に富んだワイヤーを設け、且つワイヤーの脇側をブラジャーの前中心水平線以下になるように設け、更にカップ部の脇部側に非伸縮性のサイドパネルを設けると共に、上方部を延出して肩紐部の一部を形成するように構成したブラジャーであるが、ワイヤーに関しては柔軟性のある素材とブラジャーの脇側の取り付け位置に限定されており、ワイヤーの構造を変えることでワイヤーがブラカップを介して乳房に的圧になることについてのワイヤー自体の構造に関しては触れられていない。ワイヤーワイヤー自体の構造に関しては触れられていない。
【先行技術文献】
【特許文献】
【０００６】
【特許文献１】特開２００３−３４２８０５号報
【０００７】
【特許文献２】特開２００５−２６４３５１号報
【発明の概要】
【発明が解決しようとする課題】
【０００８】
そこで本発明は、ブラジャー着用時にブラジャーのブラカップの外周に沿って設けられている長手方向に半円形の形状のワイヤーが原因による身体へのワイヤーのゴツゴツ感を覚え、違和感を感じる問題とワイヤーによる乳房への柔軟性の欠けた強い締め付けによるワイヤーの身体への食い込みなどに伴う威圧感に関する問題の現状を鑑み、不特定多数のブラジャーの着用者の変化に富んだ乳房の大きさ、形などに対応すべく、ブラジャーのブラカップの外周に沿って設けられているワイヤー自体に構造的な柔軟性を持たせ、乳房に対して適切な補正を行いブラジャーの締め付けによる違和感と威圧感を緩和させることのできるブラジャーを提供することを目的としている。
【課題を解決するための手段】
【０００９】
本発明では、上記の課題を解決すべく、
１．女性の左右の乳房を覆い補正する左右独立した乳房を包む円錐形の形状としたブラカップと前記ブラカップの下辺から前記ブラカップの脇にかけて側方に延びるベルト部及び前記ブラカップの上部を始点に前記ベルトの上辺を終点としたストラップと左右のベルトを背中で連結する前記ベルトの末端に取り付けられた係止台とストレッチテープによって構成されたブラジャーにあって、前記ブラカップの外周である乳房の基底ラインに沿って設けられている長手方向に半円形の形状のワイヤーにおいて、前記ワイヤーは前記ブラカップに面した長手方向内側の２箇所に縦方向の溝とした第１溝と第２溝が設けられ、前記ブラカップに面した長手方向内側の２箇所に設けられた前記第１溝と前記第２溝を基点として前記ワイヤーを第１ワイヤー区間と第２ワイヤー区間と第３ワイヤー区間の３区間に分けて、２箇所の前記第１溝と前記第２溝を基点に前記ワイヤーを横方向に対して角度可変機能を持たせ乳房をブラカップ内に包み込み補正させるように構成したことを特徴としている。
２．前記ブラカップの外周である乳房の基底ラインに沿って前記ブラカップに面した長手方向内側の２箇所に設けられた前記第１溝と前記第２溝を基点として前記第１ワイヤー区間と前記第２ワイヤー区間と前記第３ワイヤー区間の３区間に分けられた前記ワイヤーにおいて、前記第１ワイヤー区間を前記ブラカップ外周上の胸の中心に位置する前記ワイヤー末端を始点として前記ブラカップの下部の手前を終点とし、この前記第１ワイヤー区間の終点の前記ブラカップの下部の手前の位置に前記第１溝が設けられ、前記第３ワイヤー区間を前記ブラカップ外周上の脇に位置する末端を始点とし前記ブラカップの下部の手前を終点とし、この前記第３ワイヤー区間の終点の前記ブラカップの下部の手前の位置に前記第２溝が設けられ、前記第１溝と前記第２溝にはさまれた前記ブラカップの下部部分の区間を前記第２ワイヤー区間とすることを特徴としている。
３．前記ブラカップの外周である乳房の基底ラインに沿って前記ブラカップに面した長手方向内側の２箇所に設けられた前記第１溝と前記第２溝によって前記第１ワイヤー区間と前記第２ワイヤー区間と前記第３ワイヤー区間の３区間とする前記ワイヤーにおいて、前記第１溝と前記第２溝の溝の形をＶ字型とし前記第１溝と前記第２溝のＶ字型溝の深さを０．１ｍｍ〜１．５ｍｍとすることを特徴としている。
４．女性の左右の乳房を覆い補正する左右独立した乳房を包む円錐形の形状としたブラカップと前記ブラカップの下辺から前記ブラカップの脇にかけて側方に延びるベルト部及び前記ブラカップの上部を始点に前記ベルトの上辺を終点としたストラップと左右のベルトを背中で連結する前記ベルトの末端に取り付けられた係止台とストレッチテープによって構成されたブラジャーにあって、乳房を包む円錐形の形状としたブラカップの外周である乳房の基底ラインより２ｍｍ〜１５ｍｍの範囲内にて内側に沿って設けられている長手方向に半円形の形状のワイヤーにおいて、前記ブラカップの外周である乳房の基底ラインより２ｍｍ〜１５ｍｍの範囲内にて内側に沿って設けられている長手方向に半円形の形状の前記ワイヤーは、前記ブラカップに面した長手方向内側の２箇所に縦方向の溝とした第３溝と第４溝が設けられ、前記ブラカップに面した長手方向内側の２箇所に設けられた前記第３溝と前記第４溝を基点として前記ワイヤーを第１ワイヤー区間と第２ワイヤー区間と第３ワイヤー区間の３区間に分けて、２箇所の前記第３溝と前記第４溝を基点に前記ワイヤーを横方向に対して角度可変機能を持たせ乳房をブラカップ内に包み込み補正させるように構成したことを特徴としている。
５．前記ブラカップの外周である乳房の基底ラインより２ｍｍ〜１５ｍｍの範囲内にて内側に沿って設けられ、前記ブラカップに面した長手方向内側の２箇所に設けられた前記第３溝と前記第４溝によって前記第１ワイヤー区間と前記第２ワイヤー区間と前記第３ワイヤー区間の３区間とする前記ワイヤーにおいて、前記第１ワイヤー区間を前記ブラカップ外周上の胸の中心に位置する前記ワイヤー末端を始点とし前記ブラカップの下部の手前を終点とし、この前記第１ワイヤー区間の終点の前記ブラカップの下部の手前の位置に前記第３溝が設けられ、前記第３ワイヤー区間を前記ブラカップ外周上の脇に位置する末端を始点とし前記ブラカップの下部の手前を終点とし、この前記第３ワイヤー区間の終点の前記ブラカップの下部の手前の位置に前記第４溝が設けられ、前記第３溝と前記第４溝にはさまれた前記ブラカップの下部部分の区間を前記第２ワイヤー区間とすることを特徴としている。
６．前記ブラカップの外周である乳房の基底ラインより２ｍｍ〜１５ｍｍの範囲内にて内側に沿って設けられ、前記ブラカップに面した長手方向内側の２箇所に設けられた前記第３溝と前記第４溝によって前記第１ワイヤー区間と前記第２ワイヤー区間と前記第３ワイヤー区間の３区間とする前記ワイヤーにおいて、前記第３溝と前記第４溝の溝の形をＶ字型とし、前記第３溝と前記第４溝のＶ字型溝の深さを０．１ｍｍ〜１．５ｍｍとすることを特徴としている。
７．前記ワイヤーの形状は、円形又は楕円形のどちらの形状が選択され、前記ワイヤーの材質は、金属製のステンレススチール、アモルファス合金、形状記憶合金、プラスチック素材、繊維強化プラスチックから選択されることを特徴としている。
【発明の効果】
【００１０】
第１から第３と第７の発明によれば、不特定多数のブラジャーの着用者の変化に富んだ乳房の大きさ、形などに対応すべく、ブラジャーにおける乳房を包む円錐形の形状としたブラカップの外周である乳房の基底ラインに沿って設けられたワイヤーに関して、ワイヤー長手方向に内側２箇所に縦方向の溝を設け溝を境にワイヤーを第１ワイヤー区間と第２ワイヤー区間と第３ワイヤー区間の３区間に分けて溝を基点に横方向に角度可変機能を持たせたワイヤーによって乳房をブラカップ内に包み込み補正させるようにすることによって、ブラジャー着用時にブラジャーのブラカップ部の外周に沿って設けられている長手方向に半円形の形状のワイヤーが原因による身体へのワイヤーのゴツゴツ感を覚え、違和感を感じる問題とワイヤーによる乳房への柔軟性の欠けた強い締め付けによるワイヤーの身体への食い込みなどに伴う威圧感に関する問題の現状を改善することとともに、ブラカップの外周に沿って設けられているワイヤー自体に構造的な柔軟性を持たせ、乳房に対して適切な補正を行いブラジャーの締め付けによる違和感と威圧感を緩和させることができる。
【００１１】
第４から第６と第７の発明によれば、不特定多数のブラジャーの着用者の変化に富んだ乳房の大きさ、形などに対応すべく、ブラジャーにおける乳房を包む円錐形の形状としたブラカップの外周である乳房の基底ラインより２ｍｍ〜１５ｍｍの範囲内にて内側に沿って設けられたワイヤーに関して、ワイヤー長手方向に内側２箇所に縦方向の溝を設け溝を境にワイヤーを第１ワイヤー区間と第２ワイヤー区間と第３ワイヤー区間のワイヤーを３区間に分けて溝を基点に横方向に角度可変機能を持たせたワイヤーによって乳房をブラカップ内に包み込み補正させるようにすることによって、ブラジャー着用時にブラジャーのブラカップの外周に沿って設けられている長手方向に半円形の形状のワイヤーが原因による身体へのワイヤーのゴツゴツ感を覚え、違和感を感じる問題とワイヤーによる乳房への柔軟性の欠けた強い締め付けによるワイヤーの身体への食い込みなどに伴う威圧感に関する問題の現状を改善することとともに、ブラカップの外周に沿って設けられているワイヤー自体に構造的な柔軟性を持たせ、乳房に対して適切な補正を行いブラジャーの締め付けによる違和感と威圧感を緩和させることができる。
【図面の簡単な説明】
【００１２】
【図１】２箇所の溝によって第１ワイヤー区間、第２ワイヤー区間、第３ワイヤー区間の３区間に分けたワイヤーの外観図である。
【図２】実施例１によるブラジャーのワイヤーの説明図である。
【図３】図２でのＡ−Ｂ間の区間図である。
【図４】図２でのＣ−Ｄ間の区間図である。
【図５】実施例２によるブラジャーのワイヤーの説明図である。
【図６】図５でのＥ−Ｆ間の区間図である。
【図７】図５でのＨ−Ｋ間の区間図である。
【発明を実施するための形態】
【００１３】
以下に本発明のブラジャーに関しての説明をする。本発明による図１と図５に示すブラジャー１は、女性の胸部の左右の乳房の内、身体の左側の乳房を覆い補正するブラカップ周辺を代表例として示している。ブラジャー１は乳房の形を整え補正することを目的としている。そのブラジャー１の構成は、左右おのおのの乳房に対して適正なる乳房の形成を施すために設けられたそれぞれのブラカップ２は、ブラカップの頂点を頂点４として円錐状の形成を成している。この左または右のおのおのの乳房にあてがわれ独立した２個のカップ２（図１と図５では片側に限定して図示している）において、おのおのの乳房を包み込み適正なる乳房の形成を施す役目を担っている。そして左右の乳房を適正なる形成を施すための左右のブラカップカップ２を乳房をしっかりと固定させるために、ブラカップ２とブラカップ２を胸部中央にて結び連結させ、かつ左カップ端から背中を一周させて右のカップ端に連結させて、胸部の横方向からブラジャーのブラカップを乳房に固定させるベルト部３が設けられている。図２と図５では表示していないがこのベルト部３の一箇所つまり胸部中央または背中中央においてベルト部３は、一旦切断されており、この一旦切断されたベルトの両端の片方には、雌カンの鈎ホックが設けられ、もう対面する片方には雄カンの鈎ホックが設けられブラジャー１の着用時にはベルト３の両端に設けられた鈎ホックの雌カンに雄カンをはめ込んでブラジャー１をバストに固定させている。
【００１４】
また縦方向からブラカップ２を乳房にしっかりと固定させるために、ブラカップ２の上部から背中に位置するベルト部３までストラップ６によって結ばれている。このストラップ６にてブラジャー着用時に乳房へのブラカップ２の固定を縦方向から補っている。図２と図５ではブラカップ上部にＯカンの金具にてストラップとブラカップ上部を繋ぎ胸側でストラップの長さを調整するタイプを用いている。また別にブラカップ上部にブラカップ上部にストラップ６が縫われ背中にストラップを調整するタイプが存在する。本発明では、特にブラカップ上部とストラップの繋ぎ部分に関しては特化していないため代表としてブラカップ上部にＯカンの金具にてストラップとブラカップ上部を繋ぎ胸側でストラップの長さを調整するタイプの形態を図面上採用する。
【００１５】
ブラジャー１は以上の様に、大きく分けて乳房を適正の形状に補正するブラカップ２とそのブラカップ２を乳房に固定させるベルト部３とストラップ６にて構成されている。
尚、本発明では、ブラカップ２の下辺に逢着された土台生地とブラカップ２の脇に逢着されたサイドパネルル生地と左右のサイドパネル生地から側方に延びるベルトをベルト部３と呼称する。そしてベルト部３のサイドラインには、ストレッチテープの縫いつけが施されている。またこのストレッチテープは、ベルト部３のサイドラインからストラップ６へ繋がるブラカップ２の上部にてもストレッチテープがベルト部３のサイドラインから延長して縫いつけが施されている。このストレッチテープによってブラジャー自体１の各部の補強を行っている。市販されているブラカップ２の素材は、ウレタン、ポリウレタン、ナイロン、ポリエステル、綿等にて構成されている。ブラカップ２は複数枚の生地を重ね合わせて出来ており表生地の上には装飾としてレース生地が縫いつけられている。ブラカップ２の内側の肌に接する生地の素材は肌の吸水性を考慮し綿素材が多く使われている。製品によってはブラカップ２の内側にはテープが数本縫いつけられている。ブラカップ２の内側には取り外し可能なパッドを収納する機能が設けられている製品もある。本発明では、ブラカップ２に用いる素材またはブラカップ２を形成する生地の枚数またはブラカップ２の内側に縫いつけられている数本のテープまたはブラカップ内側に取り外し可能なパッドを収納する機能については設計製造段階にてブラジャーの機能・適正に応じて設定する。本発明では、乳房の下側の人体への付け根ラインと言われているバージスラインの事を乳房の基底ライン５と呼称する。
【実施例１】
【００１６】
図１では、実施例１における女性の胸部の左右の乳房の内、身体の左側の乳房を覆い補正するブラカップ周辺を代表例として示している。乳房を包む円錐形の形状としたブラカップ２の外周に接続されたベルト部３の乳房の基底ライン５に沿って、長手方向に半円形の形状のワイヤー７は長手方向に２箇所の溝１２、１３によって３区間にされている。ブラカップ２の外周に接続されたベルト部３の乳房の基底ライン５に沿って設けられ２箇所の溝１２、１３によって３区間にされたワイヤー７について本発明では、胸の中心に位置からブラカップ外周の乳房の基底ライン５に沿ってブラカップの下部の手前までを第１ワイヤー区間として第１ワイヤー区間１５と呼称する。第１ワイヤー区間と第２ワイヤー区間を区切る溝を第１溝１２と呼称する。ブラカップ外周の乳房の基底ライン５に沿って下部部分を第２ワイヤー区間として第２ワイヤー区間１６と呼称する。脇からブラカップ外周の乳房の基底ライン５に沿ってブラカップの下部の手前までを第３ワイヤー区間として第３ワイヤー区間１７と呼称する。第２ワイヤー区間１６と第３ワイヤー区間１７を区切る溝を第２溝１３と呼称する。実施例１で便宜上ワイヤー７の断面積の形状を楕円形を採用し説明している。
【００１７】
ワイヤー７の形状は、円形又は楕円形のどちらの形状でも効果は得られる。ワイヤーから乳房に掛ける圧や乳房からワイヤーに掛かる負荷またはブラジャーの着用感などを考量するとワイヤー７の形状は、楕円形が最も適切である。ブラカップ２の形状や大きさ又はブラジャー自体の価格やその時々のデザインなどを考量し決定する。一方、ワイヤー７の材質は、一般的にブラジャー１のワイヤー７に使用されている金属製のステンレススチール、アモルファス合金、形状記憶合または柔軟性に富んだプラスチック素材や繊維強化プラスチックなど柔軟性に富んだ材質を選定し、どちらの材質でも効果は得られる。ブラカップ２の形状や大きさ又はブラジャー自体の価格やその時々のデザインなどを考量し決定する。ワイヤー７はバイアステープ等で作られた帯状の収納袋（ワイヤーチューブ）に収納されブラジャー本体１に取り付けられている。
【００１８】
第１ワイヤー区間１５と第２ワイヤー区間１６を区切る第１溝１２について述べる。図３は第１ワイヤー区間１５と第２ワイヤー区間１６を区切る第１溝１２の拡大図である。ブラカップ外周の乳房の基底ライン５に沿って設けられているワイヤー７の下面は肌面を向いており上面は外側を向いている。側面の内側はブラカップに接し、他方は外側を向いている。第１溝１２は、図２で示すようにワイヤー７の長手方向側面の内側であるブラカップ２に接している乳房側の面のみに設けられている。第１溝１２の目的は第１ワイヤー区間１５と第２ワイヤー区間１６においてワイヤーに対して負荷変動が起きたときに僅かに第１溝１２を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第１溝１２の深さは決まってくる。第１溝１２の深さが深ければワイヤーの横方向への角度可変量は大きく取れる。逆に第１溝１２の深さが浅ければワイヤーの横方向への角度可変量は小さくなる。ＡカップとＤカップを比べるとＤカップの方が乳房は大きくなり、ワイヤー７の負荷変動が大きくなり第１溝１２の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第１溝１２の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。
【００１９】
第１溝１２で仕切られた第１ワイヤー区間１５の区間は、胸の中心の位置からブラカップ外周の乳房の基底ライン５に沿ってブラカップ２の下部の手前までの位置であり、乳房に対しては横側から補正の力を加えている。第１溝１２で仕切られた第２ワイヤー区間１６は、ブラカップ外周の乳房の基底ライン５に沿って下部部分の位置であり、乳房に対しては下側から補正の力を加えている。ブラジャー１を着用する人の乳房の形によって第１溝１２の溝の間が広くなったり狭くなったりして第１溝１２を基点に第１ワイヤー区間１５と第２ワイヤー区間１６において乳房への負荷を的圧に調整している。仮にブラジャー１を着用した時にワイヤー７の負荷が第２ワイヤー区間１６に比べて第１ワイヤー区間１５の方が大きいくなる、第１ワイヤー区間＞第２ワイヤー区間となると第１溝１２を基点にして第１ワイヤー区間１５は乳房に対して外側に広がり的圧を維持する。一方、ブラジャー１を着用した時にワイヤー７の負荷が第１ワイヤー区間１５に比べて第２ワイヤー区間１６の方が大きいくなる、第１ワイヤー区間＜第２ワイヤー区間となると第１溝１２を基点にして第２ワイヤー区間１６は乳房に対して外側に広がり的圧を維持する。
【００２０】
第２ワイヤー区間１６と第３ワイヤー区間１７を区切る第２溝１３について述べる。図４は第２ワイヤー区間１６と第３ワイヤー区間１７を区切る第２溝１３の拡大図でありる。ブラカップ外周の乳房の基底ライン５に沿って設けられているワイヤーの下面は肌面を向いており、上面は外側を向いている。側面の内側はブラカップ２に接し、他方は外側を向いている。第２溝１３は、図２で示すようにワイヤー長手方向側面の内側であるブラカップ２に接している乳房側の面のみに設けられている。第２溝１３の目的は第２ワイヤー区間１６と第３ワイヤー区間１７においてワイヤー７に対して負荷変動が起きたときに僅かに第２溝１３を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第２溝１３の深さは決まってくる。第２溝１３の深さが深ければワイヤーの横方向への角度可変量は大きく取れる。逆に第２溝１３の深さが浅ければワイヤーの横方向への角度可変量は小さくなる。ＡカップとＤカップを比べるとＤカップの方が乳房は大きくなり、ワイヤー７の負荷変動が大きくなり第１溝１２の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第２溝１３の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。
【００２１】
第２溝１３で仕切られた第３ワイヤー区間１７の区間は、ベルト３の脇からブラカップ外周の乳房の基底ライン５に沿ってブラカップ２の下部の手前までの位置であり、乳房に対しては横側から補正の力を加えている。第２溝１３で仕切られた第２ワイヤー区間１６は、ブラカップ外周の乳房の基底ライン５に沿って下部部分の位置であり、乳房に対しては下側から補正の力を加えている。ブラジャー１を着用する人の乳房の形によって第２溝１３の溝の間が広くなったり狭くなったりして第２溝１３を基点に第２ワイヤー区間１６と第３ワイヤー区間１７において乳房への負荷を的圧に調整している。仮にブラジャー１を着用した時にワイヤー７の負荷が第２ワイヤー区間１６に比べて第３ワイヤー区間１７の方が大きいくなる、第３ワイヤー区間＞第２ワイヤー区間となると第２溝１３を基点にして第３ワイヤー区間１７は乳房に対して外側（脇側）に広がり的圧を維持する。一方、ブラジャー１を着用した時にワイヤー７の負荷が第３ワイヤー区間１７に比べて第２ワイヤー区間１６の方が大きいくなる、第３ワイヤー区間＜第２ワイヤー区間となると第２溝１３を基点にして第２ワイヤー区間１６は乳房に対して外側（下側）に広がり的圧を維持する。
【００２２】
以下、実施例１に記載された本実施形態の作用及び効果について説明する。ブラジャー１を着用する最大の目的は、乳房を適正の形状に補正する事を目的としている。女性の乳房の形は同じではなく千差万別である。ブラカップ２のサイズがＢカップの女性達の中にはＢカップが適正の人もいればＡカップに近いＢカップの人もいるしＣカップに近いＢカップの人もいる。できるだけ理想のバストラインに保つことがブラジャー１に対しての課題でもある。乳房を包む円錐形の形状としたブラカップ部２の外周に接続されたベルト部３の乳房の基底ライン５に沿って、長手方向に半円形の形状のワイヤー７についても、できるだけ理想のバストラインに保つことを目的として設けられている。ブラカップ２の外周に接続されたベルト部３の乳房の基底ライン５に沿って設けられたワイヤー７は乳房を寄せて上げる補正効果には適した方法である。しかしながら難点も幾つか挙げられる。ブラジャー１を着用したときに常に一定の姿勢とは考えにくく、立ったり、座ったり、しゃがんだりするなどの体全体の挙動変化は勿論のこと、手を上下左右に動かす挙動変化はさらに頻繁に行われる。特に左右の手の上下左右に動かす挙動変化はブラジャー１を着用時に乳房への何らかの力学的な作用が働き、乳房を寄せて上げる補正効果の為に設けられたワイヤー７に対しても直接作用しワイヤー７が肌に食い込んだりして不快感や窮屈感などの不快感を感じたりすることが問題視されている。ワイヤー７自体に柔軟性に富んだ材質を使って対応を行ったりワイヤー７の取り付け位置の変更を行い対処しようとしてきたがまだ十分な解消には至っていないのが現状である。本発明ではもう少し踏み込んで考案している。さらに実際の乳房の大きさが使用するブラジャー１のブラカップ２のサイズよりも少し大きい人や少し小さい人に対しても違和感なくワイヤー７が乳房の両横下部の３箇所から的圧を得て乳房を寄せて上げる補正効果えることが本発明の目的でもある。
【００２３】
図３にて第１ワイヤー区間１５と第２ワイヤー区間１６を区切る第１溝１２の作用と効果を説明する。ブラジャー１を着用者の乳房の形状に合わせて第１ワイヤー区間１５は乳房からの力Ｇのバランスを保ち的圧になるように第１溝１２によって調整を行っている。ブラジャー１を着用時に着用者の乳房の形状によって第１ワイヤー区間１５は第１溝１２を基点に第１ワイヤー区間１５が外側へ僅かに開き第１ワイヤー区間１５の乳房への圧を的圧になるように調整している。またブラジャー１の着用者の挙動変化に伴い通常状態よりも乳房からの負荷Ｇが必用以上に第１ワイヤー区間１５に掛かると第１溝１２を基点に第１ワイヤー区間１５が外側へ僅かに開き、負荷Ｇが通常状態に戻れば第１溝１２を基点に第１ワイヤー区間１５が元の位置に戻り第１ワイヤー区間１５の乳房への圧を調整しワイヤーが肌に食い込んだりして不快感や窮屈感などの不快感を改善している。
【００２４】
図３と図４にて第２ワイヤー区間１６の両端にある第１溝１２と第２溝１３による第２ワイヤー区間１６への作用と効果を説明する。ブラジャー１を着用者の乳房の形状に合わせて第２ワイヤー区間１６は乳房からの力Ｇのバランスを保ち的圧になるように第１溝１２と第２溝１３の両溝によって調整を行っている。ブラジャー１を着用時に着用者の乳房の形状によって第２ワイヤー区間１６は第１溝１２と第２溝１３の両溝を基点に第２ワイヤー区間１６が外側へ僅かに開き第２ワイヤー区間１６の乳房への圧を的圧になるように調整している。またブラジャー１の着用者の挙動変化に伴い通常状態よりも乳房の下部への負荷Ｇが必用以上に第２ワイヤー区間１６に掛かると第１溝１２と第２溝１３の両溝を基点に第２ワイヤー区間１６が外側へ僅かに開き、負荷Ｇが通常状態に戻れば第１溝１２と第２溝１３の両溝を基点に第２ワイヤー区間１６が元の位置に戻り第２ワイヤー１６の乳房への圧を調整しワイヤーが肌に食い込んだりして不快感や窮屈感などの不快感を改善している。
【００２５】
図４にて第２ワイヤー区間１６と第３ワイヤー区間１７を区切る第２溝１３の作用と効果を説明する。ブラジャー１を着用者の乳房の形状に合わせて第３ワイヤー区間１７は乳房からの力Ｇのバランスを保ち的圧になるように第２溝１３によって調整を行っている。ブラジャー１を着用時に着用者の乳房の形状によって第３ワイヤー区間１７は第２溝１３を基点に第３ワイヤー区間１７が外側へ僅かに開き第３ワイヤー区間１７の乳房への圧を的圧になるように調整している。またブラジャー１の着用者の挙動変化に伴い通常状態よりも乳房からの負荷Ｇが必用以上に第３ワイヤー区間１７に掛かると第２溝１３を基点に第３ワイヤー区間１７が外側へ僅かに開き、負荷Ｇが通常状態に戻れば第２溝１３を基点に第３ワイヤー区間１７が元の位置に戻り第３ワイヤー区間１７の乳房への圧を調整しワイヤーが肌に食い込んだりして不快感や窮屈感などの不快感を改善している。
【００２６】
ブラジャー１に用いるワイヤー７の柔軟性をはかる為にワイヤー７の素材に柔軟性を持たせた素材が用いられているが、半円状のワイヤ７ーの両端を容易に狭めたり広めたり出来るが、半円状のワイヤー７の中心付近である本実施例の第２ワイヤー区間内１６だけを狭めたり広めたりすることは困難である。通常のブラジャー１のワイヤー７が乳房の下部の基底ライン５を入り込んで食い込んだりするのはワイヤー７が体の挙動変化に追従できていない事が起因と考えられる。第１実施例で特に注目すべき点は、ブラカップ下部にあたる第２ワイヤー区間１６である。第２ワイヤー区間１６は他の第１ワイヤー区間１５と第３ワイヤー区間１７に比べて常に上に位置する乳房からの負荷（圧）Ｇが加わっており、第２ワイヤー区間１６のワイヤー７に掛かる負担は大きい。第１溝１２と第２溝１３の両溝を基点に第２ワイヤー区間内１６のワイヤー７自身の素材が持つ柔軟性に富んだ性能によって第２ワイヤー区間内１６に掛かる体の挙動変化に伴う負荷変動に対応しワイヤー７に対する不快感を軽減し快適な着用感を向上させている。
【００２７】
本発明では、第１溝１２と第２溝１３の溝の形をＶ字型としている。Ｖ字型とすることによって溝の中の対面する面同士がぶつかり合うのを防ぐ目的と溝の反発力を利用している。溝の入り口が最も開口部が広く溝の谷の底に向かうにつれて徐々に狭くなり溝の底は点になっている。このＶ字型の溝に負荷が掛かり溝の幅が狭くなると溝の谷の底付近は間隔が狭くなり反発する力は溝の底へ向かうにつれて段々強くなる。負荷量に対して負荷量に追従するように反発する力が強くなると負荷に対して受け止め支える力が徐々に増すことになる。一種のバネ効果が得られる。逆に負荷が弱まれば負荷量に対して負荷量に追従するように反発する力が弱くなり元のワイヤーの形へと戻る。仮に溝の形が長方形するとどうなるか考察すると、溝に負荷が掛かり溝の幅が狭くなるとワイヤー自体が半円形でもあることから最初に溝の幅が狭くなるのは溝の入り口であり、ある程度の負荷を越えると溝の入り口の角同士がぶつかり合ってしまう。この時点にて溝を基点に横方向にワイヤーの角度可変機能をを失ってしまう。これが頻繁に起きるとワイヤー自体が損傷してしまう事態にもなりかねない。本発明の第１溝１２と第２溝１３の溝の形をＶ字型としなければならない理由はこのことからきている。
【００２８】
本発明では、実施例１について述べるとブラカップ外周の乳房の基底ライン５にワイヤー機構を備えたワイヤー７において、乳房から掛かる負荷またはワイヤーの力によって乳房をブラカップ２内に保持するワイヤー７から乳房に掛ける圧はワイヤー７の長手方向の位置によって異なる。第１ワイヤー区間では担当する区間内では、ワイヤー７から乳房に掛ける圧と乳房から掛かる負荷は主に横方向又は斜め上方向からの作用が主となると共に体の挙動変化によっては隣接する隣の乳房からの負荷の力が加わることも想定される。第２ワイヤー区間では担当する区間内では、ワイヤー７から乳房に掛ける圧と乳房から掛かる負荷は主に上方向からの作用が主となると共に乳房の重さが直接作用する区間でもある。ブラジャーの着用者の体の挙動変化によっては乳房が上下に揺れる事もあり得る。この時には乳房の重さ以上の負荷がワイヤー７に掛かる事が想定され、ブラカップ２とワイヤー７によって締め付けず緩めすぎず柔軟に乳房を支える必用がある。第３ワイヤー区間では担当する区間内では、ワイヤー７から乳房に掛ける圧と乳房から掛かる負荷は主に横方向又は斜め上方向からの作用が主となると共に体の挙動変化によっては乳房が脇方向へと流れてしまう事も想定され、ワイヤー７によって乳房がブラカップ２内から脇方向へと流れる事を抑止しなければならない。即ち、ブラカップ外周の乳房の基底ライン５にワイヤー機構を備えたワイヤー７では、乳房から掛かる負荷またはワイヤー７の力によって乳房をブラカップ２内に保持するワイヤー７から乳房に掛ける圧はワイヤー７の長手方向の位置によって異なり、それは大きく分けて３つに区切ることができる。本発明では、この事に着目し考えられている。ワイヤー７に第１溝１２と第２溝１３を設けて第１ワイヤー区間１５と第２ワイヤー区間１６と第３ワイヤー区間１７の３区間に分け、第１溝１２と第２溝１３を基点にしてワイヤー７にブラカップ２に向けた横方向に対しての角度可変機能を持たせて、３区間の異なる乳房から掛かる負荷またはワイヤー７の力によって乳房をブラカップ２内に保持するワイヤー７から乳房に掛ける圧を調整している。仮に溝を６箇所以上の多数設ければ、ワイヤー７自体の乳房をブラカップ内にホールドして適切にバストを補正機能が消失し、ワイヤー７を設ける意味が全くなくなる。
【実施例２】
【００２９】
図５では、実施例２における女性の胸部の左右の乳房の内、身体の左側の乳房を覆い補正するブラカップ周辺を代表例として示している。乳房を包む円錐形の形状としたブラカップ２の外周に接続されたベルト部３との縫い代部の乳房の基底ライン５に沿って乳房の基底ライン５より２ｍｍ〜１５ｍｍの範囲内にて内側に沿って設けられている長手方向に半円形の形状のワイヤー７はブラカップ２のカップ頂点方向である長手方向内側に面した２箇所に溝２２、２３が設けられている。この２箇所の溝２２、２３によってワイヤー７は３区間にされている。ブラカップ２の外周に接続されたベルト部３との縫い代部８の乳房の基底ラインに５沿って乳房の基底ラインより２ｍｍ〜１５ｍｍの範囲内にてブラカップ２内側に設けられている２箇所の溝によって３区間にされたワイヤー７について本発明では、胸の中心に位置からブラカップ外周の乳房の基底ライン５より２ｍｍ〜１５ｍｍの範囲内にて内側に沿ってブラカップ２の下部の手前までを第１ワイヤー区間として第１ワイヤー区間２５と呼称する。第１ワイヤー区間２５と第２ワイヤー区間２６を区切る溝を第３溝２２と呼称する。ブラカップ外周の乳房の基底ライン５より２ｍｍ〜１５ｍｍの範囲内にて内側に沿って下部部分を第２ワイヤー区間として第２ワイヤー区間２６と呼称する。乳房の基底ライン５より２ｍｍ〜１５ｍｍの範囲内にて内側に位置する脇からブラカップ外周の乳房の基底ライン５より２ｍｍ〜１５ｍｍの範囲内にて内側に沿ってブラカップ２の下部の手前までを第３ワイヤー区間として第３ワイヤー区間２７と呼称する。第２ワイヤー区間２６と第３ワイヤー区間２７を区切る溝を第４溝２３と呼称する。実施例２で便宜上ワイヤー７の断面積の形状を楕円形を採用し説明している。   
【００３０】
ワイヤー７の形状は、円形又は楕円形のどちらの形状でも効果は得られる。ワイヤーから乳房に掛ける圧や乳房からワイヤーに掛かる負荷またはブラジャーの着用感などを考量するとワイヤー７の形状は、楕円形が最も適切である。ブラカップ２の形状や大きさ又はブラジャー自体の価格やその時々のデザインなどを考量し決定する。一方、ワイヤー７の材質は、一般的にブラジャー１のワイヤー７に使用されている金属製のステンレススチール、アモルファス合金、形状記憶合または柔軟性に富んだプラスチック素材や繊維強化プラスチックなど柔軟性に富んだ材質を選定し、どちらの材質でも効果は得られる。ブラカップ２の形状や大きさ又はブラジャー自体の価格やその時々のデザインなどを考量し決定する。ワイヤー７はバイアステープ等で作られた帯状の収納袋（ワイヤーチューブ）に収納されブラジャー本体１に取り付けられている。
【００３１】
通常のワイヤー入りブラジャーに置いてワイヤーが設けられている位置にはブラカップの外周に接続されたベルト部３とを繋ぎ合わせている縫代部８が設けられており、この縫代部８にはワイヤー無しブラジャーと同様に乳房の基底ライン５に沿ってテープが縫われ乳房をブラカップ内にしっかりとホールドするようにしている。
【００３２】
第１ワイヤー区間２５と第２ワイヤー区間２６を区切る第３溝２２について述べる。図６は第１ワイヤー区間２６と第２ワイヤー区間２７を区切る第３溝２２の拡大図である。図５で示すようにブラカップ外周の乳房の基底ライン５より２ｍｍ〜１５ｍｍの範囲内にて内側に沿って設けられている長手方向に半円形の形状のワイヤー７はブラカップ２のカップ頂点４方向である長手方向内側に面した２箇所に第３溝２２と第４溝２３が設けられている。この内、第１ワイヤー区間２５と第２ワイヤー区間２６を区切る第３溝２２の目的は第１ワイヤー区間２５と第２ワイヤー区間２６においてワイヤー７に対して負荷変動が起きたときに僅かに第３溝２２を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第３溝２２の深さは決まってくる。第３溝２２の深さが深ければワイヤーの横方向への角度可変量は大きく取れる。逆に第３溝２２の深さが浅ければワイヤーの横方向への角度可変量は小さくなる。ＡカップとＤカップを比べるとＤカップの方が乳房は大きくなり、ワイヤー７の負荷変動が大きくなり第３溝２２の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第３溝２２の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。
【００３３】
第３溝２２で仕切られた第１ワイヤー区間２５の区間は、胸の中心に位置からブラカップ外周の乳房の基底ライン５より２ｍｍ〜１５ｍｍの範囲内にて内側に沿ってブラカップ２の下部の手前までの位置であり、乳房に対しては横側から補正の力を加えている。第３溝２２で仕切られた第２ワイヤー区間２６は、ブラカップ外周の乳房の基底ライン５より２ｍｍ〜１５ｍｍの範囲内にて内側に沿って下部部分の位置であり、乳房に対しては下側から補正の力を加えている。ブラジャー１を着用する人の乳房の形によって第３溝２２の溝の間が広くなったり狭くなったりして第３溝２２を基点に第１ワイヤー区間２５と第２ワイヤー区間２６において乳房への負荷を的圧に調整している。仮にブラジャー１を着用した時にワイヤーの負荷が第２ワイヤー区間２６に比べて第１ワイヤー区間２５の方が大きいくなる、第１ワイヤー区間＞第２ワイヤー区間となると第３溝２２を基点にして第３ワイヤー区間２５は乳房に対して外側に広がり的圧を維持する。一方、ブラジャー１を着用した時にワイヤー７の負荷が第１ワイヤー区間２５に比べて第２ワイヤー区間２６の方が大きいくなる、第１ワイヤー区間＜第２ワイヤー区間となると第３溝２２を基点にして第２ワイヤー区間２６は乳房に対して外側に広がり的圧を維持する。
【００３４】
第２ワイヤー区間２６と第３ワイヤー区間２７を区切る第４溝２３について述べる。図７は第２ワイヤー区間２６と第３ワイヤー区間２７を区切る第４溝２３の拡大図でありる。図５で示すようにブラカップ外周の乳房の基底ライン５より２ｍｍ〜１５ｍｍの範囲内にて内側に沿って設けられている長手方向に半円形の形状のワイヤー７はブラカップのカップ頂点４方向である長手方向内側に面した２箇所に第３溝２２と第４溝２３が設けられている。この内第２ワイヤー区間２６と第３ワイヤー区間２７を区切る第４溝２３の目的は第２ワイヤー区間２６と第３ワイヤー区間２７においてワイヤー７に対して負荷変動が起きたときに僅かに第４溝２３を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第４溝２３の深さは決まってくる。第４溝２３の深さが深ければワイヤーの横方向への角度可変量は大きく取れる。逆に第４溝２３の深さが浅ければワイヤーの横方向への角度可変量は小さくなる。ＡカップとＤカップを比べるとＤカップの方が乳房は大きくなり、ワイヤー７の負荷変動が大きくなり第４溝２３の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第４溝２３の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。
【００３５】
第４溝２３で仕切られた第３ワイヤー区間２７の区間は、ベルト３の脇からブラカップ外周の乳房の基底ライン５より２ｍｍ〜１５ｍｍの範囲内にて内側に沿ってブラカップ２の下部の手前までの位置であり、乳房に対しては横側から補正の力を加えている。第４溝２３で仕切られた第２ワイヤー区間２６は、ブラカップ外周の乳房の基底ライン５より２ｍｍ〜１５ｍｍの範囲内にて内側に沿って下部部分の位置であり、乳房に対しては下側から補正の力を加えている。ブラジャー１を着用する人の乳房の形によって第４溝２３の溝の間が広くなったり狭くなったりして第４溝２３を基点に第２ワイヤー区間２６と第３ワイヤー区間２７において乳房への負荷を的圧に調整している。仮にブラジャー１を着用した時にワイヤー７の負荷が第２ワイヤー区間２６に比べて第３ワイヤー区間２７の方が大きいくなる、第３ワイヤー区間＞第２ワイヤー区間となると第４溝２３を基点にして第３ワイヤー区間２７は乳房に対して外側（脇側）に広がり的圧を維持する。一方、ブラジャー１を着用した時にワイヤー７の負荷が第３ワイヤー区間２７に比べて第２ワイヤー区間２６の方が大きいくなる、第３ワイヤー区間＜第２ワイヤー区間となると第４溝２３を基点にして第２ワイヤー区間２６は乳房に対して外側（下側）に広がり的圧を維持する。
【００３６】
以下、実施例２に記載された本実施形態の作用及び効果について説明する。ブラジャー１を着用する最大の目的は、乳房を適正の形状に補正する事を目的としている。女性の乳房の形は同じではなく千差万別である。ブラカップ２のサイズがＢカップの女性達の中にはＢカップが適正の人もいればＡカップに近いＢカップの人もいるしＣカップに近いＢカップの人もいる。できるだけ理想のバストラインに保つことがブラジャー１に対しての課題でもある。乳房を包む円錐形の形状としたブラカップ２の外周に接続されたベルト３の乳房の基底ライン５に沿って、長手方向に半円形の形状のワイヤー７についても、できるだけ理想のバストラインに保つことを目的として設けられている。ブラカップ２の外周に接続されたベルト３の乳房の基底ライン５に沿って設けられたワイヤー７は乳房を寄せて上げる補正効果には適した方法である。しかしながら難点も幾つか挙げられる。ブラジャー１を着用したときに常に一定の姿勢とは考えにくく、立ったり、座ったり、しゃがんだりするなどの体全体の挙動変化は勿論のこと、手を上下左右に動かす挙動変化はさらに頻繁に行われる。特に左右の手の上下左右に動かす挙動変化はブラジャー１を着用時に乳房への何らかの力学的な作用が働き、乳房を寄せて上げる補正効果の為に設けられたワイヤー７に対しても直接作用しワイヤー７が肌に食い込んだりして不快感や窮屈感などの不快感を感じたりすることが問題視されている。ワイヤー７自体に柔軟性に富んだ材質を使って対応を行ったりワイヤーの取り付け位置の変更を行ったりして対処しようとしてきたがまだ十分な解消には至っていないのが現状である。本発明ではもう少し踏み込んで考案している。さらに実際の乳房の大きさが使用するブラジャー１のブラカップ２のサイズよりも少し大きい人や少し小さい人に対しても違和感なくワイヤー７が乳房の両横下部の３箇所から的圧を得て乳房を寄せて上げる補正効果えることが本発明の目的でもある。
【００３７】
図６にて第１ワイヤー区間２５と第２ワイヤー区間２６を区切る第３溝２２の作用と効果を説明する。ブラジャー１を着用者の乳房の形状に合わせて第１ワイヤー区間２５は乳房からの力Ｇのバランスを保ち的圧になるように第３溝２２によって調整を行っている。ブラジャー１を着用時に着用者の乳房の形状によって第１ワイヤー区間２５は第３溝２２を基点に第１ワイヤー区間２５が外側へ僅かに開き第１ワイヤー区間２５の乳房への圧を的圧になるように調整している。またブラジャー１の着用者の挙動変化に伴い通常状態よりも乳房からの負荷Ｇが必用以上に第１ワイヤー区間２５に掛かると第３溝２２を基点に第１ワイヤー区間２５が外側へ僅かに開き、負荷Ｇが通常状態に戻れば第３溝２２を基点に第１ワイヤー区間２５が元の位置に戻り第１ワイヤー区間２５の乳房への圧を調整しワイヤー７が肌に食い込んだりして不快感や窮屈感などの不快感を改善している。
【００３８】
図５図６にて第２ワイヤー区間２６の両端にある第３溝２２と第４溝２３による第２ワイヤー区間２６への作用と効果を説明する。ブラジャー１を着用者の乳房の形状に合わせて第２ワイヤー区間２６は乳房からの力Ｇのバランスを保ち的圧になるように第３溝２２と第４溝２３の両溝によって調整を行っている。ブラジャー１を着用時に着用者の乳房の形状によって第２ワイヤー区間２６は第３溝２２と第４溝２３の両溝を基点に第２ワイヤー区間２６が外側へ僅かに開き第２ワイヤー区間２６の乳房への圧を的圧になるように調整している。またブラジャー１の着用者の挙動変化に伴い通常状態よりも乳房の下部への負荷Ｇが必用以上に第２ワイヤー区間２６に掛かると第３溝２２と第４溝２３の両溝を基点に第２ワイヤー区間２６が外側へ僅かに開き、負荷Ｇが通常状態に戻れば第３溝２２と第４溝２３の両溝を基点に第２ワイヤー区間２６が元の位置に戻り第２ワイヤー区間２６の乳房への圧を調整しワイヤー７が肌に食い込んだりして不快感や窮屈感などの不快感を改善している。
【００３９】
図６にて第２ワイヤー区間２６と第３ワイヤー区間２７を区切る第４溝２３の作用と効果を説明する。ブラジャー１を着用者の乳房の形状に合わせて第２ワイヤー区間２６は乳房からの力Ｇのバランスを保ち的圧になるように第４溝２３によって調整を行っている。ブラジャー１を着用時に着用者の乳房の形状によって第３ワイヤー区間２７は第４溝２３を基点に第３ワイヤー区間２７が外側へ僅かに開き第３ワイヤー区間２７の乳房への圧を的圧になるように調整している。またブラジャーの着用者の挙動変化に伴い通常状態よりも乳房からの負荷Ｇが必用以上に第３ワイヤー区間２７に掛かると第４溝２３を基点に第３ワイヤー区間２７が外側へ僅かに開き、負荷Ｇが通常状態に戻れば第４溝２３を基点に第３ワイヤー区間２７が元の位置に戻り第３ワイヤー区間２７の乳房への圧を調整しワイヤー７が肌に食い込んだりして不快感や窮屈感などの不快感を改善している。
【００４０】
ブラジャー１に用いるワイヤー７の柔軟性をはかる為にワイヤー７の素材に柔軟性を持たせた素材が用いられているが、半円状のワイヤー７の両端を容易に狭めたり広めたり出来るが、半円状のワイヤー７の中心付近である本実施例２の第２ワイヤー区間内２６だけを狭めたり広めたりすることは困難である。通常のブラジャー１のワイヤー７が乳房の下部の基底ライン５を入り込んで食い込んだりするのはワイヤー７が体の挙動変化に追従できていない事が起因と考えられる。第２実施例で特に注目すべき点は、ブラカップ下部にあたる第２ワイヤー区間２６である。第２ワイヤー区間２６は他の第１ワイヤー区間２５と第３ワイヤー区間２７に比べて常に上に位置する乳房からの負荷（圧）Ｇが加わっており、第２ワイヤー区間２６のワイヤー７に掛かる負担は大きい。第３溝２２と第４溝２３の両溝を基点に第２ワイヤー区間内２６のワイヤー７自身の素材が持つ柔軟性に富んだ性能によって第２ワイヤー区間内２６に掛かる体の挙動変化に伴う負荷変動に対応しワイヤー７に対する不快感を軽減し快適な着用感を向上させている。
【００４１】
本発明では、第３溝２２と第４溝２３の溝の形をＶ字型としている。Ｖ字型とすることによって溝の中の対面する面同士がぶつかり合うのを防ぐ目的と溝の反発力を利用している。溝の入り口が最も開口部が広く溝の谷の底に向かうにつれて徐々に狭くなり溝の底は点になっている。このＶ字型の溝に負荷が掛かり溝の幅が狭くなると溝の谷の底付近は間隔が狭くなり反発する力は溝の底へ向かうにつれて段々強くなる。負荷量に対して負荷量に追従するように反発する力が強くなると負荷に対して受け止め支える力が徐々に増すことになる。一種のバネ効果が得られる。逆に負荷が弱まれば負荷量に対して負荷量に追従するように反発する力が弱くなり元のワイヤーの形へと戻る。仮に溝の形が長方形するとどうなるか考察すると、溝に負荷が掛かり溝の幅が狭くなるとワイヤー自体が半円形でもあることから最初に溝の幅が狭くなるのは溝の入り口であり、ある程度の負荷を越えると溝の入り口の角同士がぶつかり合ってしまう。この時点にて溝を基点に横方向にワイヤーの角度可変機能をを失ってしまう。これが頻繁に起きるとワイヤー自体が損傷してしまう事態にもなりかねない。本発明の第３溝２２と第４溝２３の溝の形をＶ字型としなければならない理由はこのことからきている。
【００４２】
本発明では、実施例２について述べるとブラカップ外周の乳房の基底ライン５にワイヤー機構を備えたワイヤー７において、乳房から掛かる負荷またはワイヤーの力によって乳房をブラカップ２内に保持するワイヤー７から乳房に掛ける圧はワイヤー７の長手方向の位置によって異なる。第１ワイヤー区間では担当する区間内では、ワイヤー７から乳房に掛ける圧と乳房から掛かる負荷は主に横方向又は斜め上方向からの作用が主となると共に体の挙動変化によっては隣接する隣の乳房からの負荷の力が加わることも想定される。第２ワイヤー区間では担当する区間内では、ワイヤー７から乳房に掛ける圧と乳房から掛かる負荷は主に上方向からの作用が主となると共に乳房の重さが直接作用する区間でもある。ブラジャーの着用者の体の挙動変化によっては乳房が上下に揺れる事もあり得る。この時には乳房の重さ以上の負荷がワイヤー７に掛かる事が想定され、ブラカップとワイヤー７によって締め付けず緩めすぎず柔軟に乳房を支える必用がある。第３ワイヤー区間では担当する区間内では、ワイヤー７から乳房に掛ける圧と乳房から掛かる負荷は主に横方向又は斜め上方向からの作用が主となると共に体の挙動変化によっては乳房が脇方向へと流れてしまう事も想定され、ワイヤー７によって乳房がブラカップ２内から脇方向へと流れる事を抑止しなければならない。即ち、ブラカップ外周の乳房の基底ライン５にワイヤー機構を備えたワイヤー７では、乳房から掛かる負荷またはワイヤーの力によって乳房をブラカップ２内に保持するワイヤー７から乳房に掛ける圧はワイヤー７の長手方向の位置によって異なり、それは大きく分けて３つに区切ることができる。本発明では、この事に着目し考えられている。ワイヤー７に第３溝２２と第４溝２３を設けて第１ワイヤー区間２５と第２ワイヤー区間２６と第３ワイヤー区間２７の３区間に分け、第３溝２２と第４溝２３を基点にしてワイヤー７にブラカップ２に向けた横方向に対しての角度可変機能を持たせて、３区間の異なる乳房から掛かる負荷またはワイヤー７の力によって乳房をブラカップ２内に保持するワイヤー７から乳房に掛ける圧を調整している。仮に溝を６箇所以上の多数設ければ、ワイヤー７自体の乳房をブラカップ内にホールドして適切にバストを補正機能が消失し、ワイヤー７を設ける意味が全くなくなる。
【００４３】
実施例２におけるワイヤー７のブラカップ内における設置に関しては、特段限定するものではなく、一例として次の方法が挙げられる。
（１）ワイヤー７が収納されているバイアステープ等で作られた帯状の収納袋（ワイヤーチューブ）が直接、乳房の肌にあらないようにブラカップ内側の肌に接する生地とブラカップ外側の生地との間に設ける方法が挙げられる。従って乳房から見るとブラカップ内側の肌に接する生地そしてワイヤーが収納されているバイアステープ等で作られた帯状の収納袋（ワイヤーチューブ）そしてブラカップ外側の生地となる。
（２）ワイヤー７が収納されているバイアステープ等で作られた帯状の収納袋（ワイヤーチューブ）が直接、乳房の肌に対面するようにブラカップ内側の肌に接する側の生地に設ける方法が挙げられる。従って乳房から見るとワイヤーが収納されているバイアステープ等で作られた帯状の収納袋（ワイヤーチューブ）そしてブラカップ内側の肌に接する生地そしてブラカップ外側の生地となる。
（３）ワイヤー７が収納されているバイアステープ等で作られた帯状の収納袋（ワイヤーチューブ）がブラカップ外側の生地に設ける方法が挙げられる。従って乳房から見るとブラカップ内側の肌に接する生地そしてブラカップ外側の生地そしてワイヤーが収納されているバイアステープ等で作られた帯状の収納袋（ワイヤーチューブ）となる。
【００４４】
またブラカップ内に乳房へのパッド機能を持たせたポリウレタンなどの発泡素材を用いた製品がある。この場合には、ワイヤーは収納しているバイアステープ等で作られた帯状の収納袋（ワイヤーチューブ）に入れず、パッド機能を持たせたポリウレタンなどの発泡素材の中に直接ワイヤー単体７を組み込む方法を用いても良い。
【００４５】
本発明による２箇所の溝によって３区間にされたワイヤー７はブラジャーに限定することなく、ブラカップ外周の乳房の基底ラインにワイヤー機構を備えたブラカップを有する衣類である、ボディスーツ、ブラスリップ、ブラキャミソールなどの衣類に関しても適用しても良い。
【産業上の利用可能性】
【００４６】
本発明は、ブラジャー等の女性用衣類を製造する産業で利用される。
【符号の説明】
【００４７】
１．ブラジャー
２．ブラカップ
３．ベルト部
４．ブラカップの頂点
５．乳房の基底ライン
６．ストラップ
７．ワイヤー
８．縫代部
１２．第１溝
１３．第２溝
１５．第１ワイヤー区間
１６．第２ワイヤー区間
１７．第３ワイヤー区間
２２．第３溝
２３．第４溝
２５．第１ワイヤー区間
２６．第２ワイヤー区間
２７．第３ワイヤー区間
Ｇ．乳房からの力（ワイヤーに掛かる負荷力）
【図１】
2020133039.tif 000003
【図２】
2020133039.tif 000004
【図３】
2020133039.tif 000005
【図４】
2020133039.tif 000006
【図５】
2020133039.tif 000007
【図６】
2020133039.tif 000008
【図７】
2020133039.tif 000009
【手続補正書】
【提出日】令和1年8月8日(2019.8.8)
【手続補正１】
【補正対象書類名】明細書
【補正対象項目名】全文
【補正方法】変更
【補正の内容】
【発明の詳細な説明】
【技術分野】
【０００１】
本発明は女性用衣料である女性の左右の乳房を覆い補正する左右独立した乳房を包む円錐形の形状としたブラカップとブラカップの下辺からブラカップの脇にかけて側方に延びるベルト部及びブラカップの上部を始点にベルトの上辺を終点としたストラップと左右のベルトを背中で連結するベルトの末端に取り付けられた係止台とストレッチテープによって構成されたブラジャーにおいて、ブラカップの外周に沿って設けられている長手方向に半円形の形状のワイヤーを長手方向に内側２箇所に縦方向の溝を設け、その溝を基点にワイヤーを３区間に分けて乳房をブラカップ内に包み込み補正させるように構成したブラカップ部の外周にワイヤー機構を備えるブラジャーに関するものである。
【背景技術】
【０００２】
従来の女性用下着であるブラジャーでは、ブラカップの外周に沿うように半円状に形成された金属製または樹脂製のワイヤーを生地に縫いつけ、その半円状に形成された金属製または樹脂製のワイヤーによる締め付けによって左右おのおのの乳房を補正する構造となっている。
【０００３】
ところが、ブラカップの外周に沿うように半円状に形成された金属製または樹脂製のワイヤーにより、乳房の締め付けてることにより乳房を補正する手段として用いられているが、金属製または樹脂製のワイヤー自体固く、柔軟性に欠けいる。これに伴ってブラジャーの着用時にワイヤー周辺の身体にゴツゴツ感を覚え、違和感を感じる問題があった。また金属製または樹脂製のワイヤーによる乳房への柔軟性の欠けた強い締め付けは、ワイヤーの身体への食い込みなどに伴う威圧感に関する問題も生じている。ワイヤーの身体への食い込みは、身体とワイヤーが擦れたり身体にワイヤーの痕が残ったりするなどの肌荒れの問題も伴っている。
【０００４】
そこでブラカップの外周に沿うように半円状に形成された金属製または樹脂製のワイヤーに関して幾つか考案されている。例えば特許文献１では、カップ部と土台部とワイヤー及び肩紐等からなる衣類において、前記カップ部下方周縁にワイヤーを固着して配設するとともに該カップ部と土台部とを伸縮性に富んだ編生地で連結して構成したカップ部を有する衣類が考案されている。特許文献２ではカップ部の下辺部に柔軟性に富んだワイヤーを設け、且つワイヤーの脇側をブラジャーの前中心水平線以下になるように設け、更にカップ部の脇部側に非伸縮性のサイドパネルを設けると共に、上方部を延出して肩紐部の一部を形成するように構成したブラジャーが考案されている。      
【０００５】
ところが特許文献１では、カップ部の下方周辺部に装着されたワイヤーの脇部先端側が歪んで乳房の脇部側や下方部に食い込み、肌に苦痛与える恐れを考量し、ワイヤーが固着しているカップ部と土台部を別体として遊離させ伸縮性に富んだ編生地で連結して構成したブラジャーであるが、ワイヤーの構造を変えることでワイヤーがブラカップを介して乳房に的圧になることについてのワイヤー自体の構造に関しては触れられていない。特許文献２では、カップ部が横方向に引っ張られた時、ワイヤーが横方向に開いてカップ部の中心部が前方に浮き上がり、カップ部が変形するのみならず、更にワイヤーが開くときに肌側を押圧若しくは強圧して苦痛を与える事を考量し、カップ部の下辺部に柔軟性に富んだワイヤーを設け、且つワイヤーの脇側をブラジャーの前中心水平線以下になるように設け、更にカップ部の脇部側に非伸縮性のサイドパネルを設けると共に、上方部を延出して肩紐部の一部を形成するように構成したブラジャーであるが、ワイヤーに関しては柔軟性のある素材とブラジャーの脇側の取り付け位置に限定されており、ワイヤーの構造を変えることでワイヤーがブラカップを介して乳房に的圧になることについてのワイヤー自体の構造に関しては触れられていない。ワイヤーワイヤー自体の構造に関しては触れられていない。
【先行技術文献】
【特許文献】
【０００６】
【特許文献１】特開２００３−３４２８０５号報
【０００７】
【特許文献２】特開２００５−２６４３５１号報
【発明の概要】
【発明が解決しようとする課題】
【０００８】
そこで本発明は、ブラジャー着用時にブラジャーのブラカップの外周に沿って設けられている長手方向に半円形の形状のワイヤーが原因による身体へのワイヤーのゴツゴツ感を覚え、違和感を感じる問題とワイヤーによる乳房への柔軟性の欠けた強い締め付けによるワイヤーの身体への食い込みなどに伴う威圧感に関する問題の現状を鑑み、不特定多数のブラジャーの着用者の変化に富んだ乳房の大きさ、形などに対応すべく、ブラジャーのブラカップの外周に沿って設けられているワイヤー自体に構造的な柔軟性を持たせ、乳房に対して適切な補正を行いブラジャーの締め付けによる違和感と威圧感を緩和させることのできるブラジャーを提供することを目的としている。
【課題を解決するための手段】
【０００９】
本発明では、上記の課題を解決すべく、
１．女性の左右の乳房を覆い補正する左右独立した乳房を包む円錐形の形状としたブラカップと前記ブラカップの下辺から前記ブラカップの脇にかけて側方に延びるベルト及び前記ブラカップの上部を始点に前記ベルトの上辺を終点としたストラップと前記左右のベルトを背中で連結する前記ベルトの末端に取り付けられた係止台とストレッチテープによって構成されたブラジャーにあって、前記ブラカップの外周である乳房の基底ラインに沿って設けられている長手方向に半円形の形状のワイヤーにおいて、前記ワイヤーは前記ブラカップに面した長手方向内側の２箇所に縦方向の溝とした第１溝と第２溝が設けられ、前記第１溝と前記第２溝を基点として前記第１ワイヤー区間と前記第２ワイヤー区間と前記第３ワイヤー区間の３区間に分けられた前記ワイヤーは、前記第１ワイヤー区間を前記ブラカップ外周上の胸の中心に位置する前記ワイヤー末端を始点として前記ブラカップの下部の手前を終点とし、この前記第１ワイヤー区間の終点である前記ブラカップの下部の手前の位置に前記第１溝が設けられ、前記第３ワイヤー区間を前記ブラカップ外周上の脇に位置する末端を始点とし前記ブラカップの下部の手前を終点とし、この前記第３ワイヤー区間の終点である前記ブラカップの下部の手前の位置に前記第２溝が設けられ、前記第１溝と前記第２溝にはさまれた前記ブラカップの下部部分の区間を前記第２ワイヤー区間とし、前記第１溝と前記第２溝の溝の形をＶ字型とし前記第１溝と前記第２溝のＶ字型溝の深さを０．１ｍｍ〜１．５ｍｍ内の範囲内とする前記ブラカップに面した長手方向内側の２箇所に設けられた前記第１溝と前記第２溝を基点として前記ワイヤーを第１ワイヤー区間と第２ワイヤー区間と第３ワイヤー区間の３区間に分けて、２箇所の前記第１溝と前記第２溝を基点に前記ワイヤーを横方向に対して角度可変機能を持たせ乳房をブラカップ内に包み込み補正させるように構成したことを特徴としている。
【発明の効果】
【００１０】
第１から第３の発明によれば、不特定多数のブラジャーの着用者の変化に富んだ乳房の大きさ、形などに対応すべく、ブラジャーにおける乳房を包む円錐形の形状としたブラカップの外周である乳房の基底ラインに沿って設けられたワイヤーに関して、ワイヤー長手方向に内側２箇所に縦方向の溝を設け溝を境にワイヤーを第１ワイヤー区間と第２ワイヤー区間と第３ワイヤー区間の３区間に分けて溝を基点に横方向に角度可変機能を持たせたワイヤーによって乳房をブラカップ内に包み込み補正させるようにすることによって、ブラジャー着用時にブラジャーのブラカップ部の外周に沿って設けられている長手方向に半円形の形状のワイヤーが原因による身体へのワイヤーのゴツゴツ感を覚え、違和感を感じる問題とワイヤーによる乳房への柔軟性の欠けた強い締め付けによるワイヤーの身体への食い込みなどに伴う威圧感に関する問題の現状を改善することとともに、ブラカップの外周に沿って設けられているワイヤー自体に構造的な柔軟性を持たせ、乳房に対して適切な補正を行いブラジャーの締め付けによる違和感と威圧感を緩和させることができる。
【図面の簡単な説明】
【００１１】
【図１】２箇所の溝によって第１ワイヤー区間、第２ワイヤー区間、第３ワイヤー区間の３区間に分けたワイヤーの外観図である。
【図２】実施例１によるブラジャーのワイヤーの説明図である。
【図３】図２でのＡ−Ｂ間の区間図である。
【図４】図２でのＣ−Ｄ間の区間図である。
【図５】実施例２によるブラジャーのワイヤーの説明図である。
【図６】図５でのＥ−Ｆ間の区間図である。
【図７】図５でのＨ−Ｋ間の区間図である。
【発明を実施するための形態】
【００１２】
以下に本発明のブラジャーに関しての説明をする。本発明による図１と図５に示すブラジャー１は、女性の胸部の左右の乳房の内、身体の左側の乳房を覆い補正するブラカップ周辺を代表例として示している。ブラジャー１は乳房の形を整え補正することを目的としている。そのブラジャー１の構成は、左右おのおのの乳房に対して適正なる乳房の形成を施すために設けられたそれぞれのブラカップ２は、ブラカップの頂点を頂点４として円錐状の形成を成している。この左または右のおのおのの乳房にあてがわれ独立した２個のカップ２（図１と図５では片側に限定して図示している）において、おのおのの乳房を包み込み適正なる乳房の形成を施す役目を担っている。そして左右の乳房を適正なる形成を施すための左右のブラカップカップ２を乳房をしっかりと固定させるために、ブラカップ２とブラカップ２を胸部中央にて結び連結させ、かつ左カップ端から背中を一周させて右のカップ端に連結させて、胸部の横方向からブラジャーのブラカップを乳房に固定させるベルト部３が設けられている。図２と図５では表示していないがこのベルト部３の一箇所つまり胸部中央または背中中央においてベルト部３は、一旦切断されており、この一旦切断されたベルトの両端の片方には、雌カンの鈎ホックが設けられ、もう対面する片方には雄カンの鈎ホックが設けられブラジャー１の着用時にはベルト３の両端に設けられた鈎ホックの雌カンに雄カンをはめ込んでブラジャー１をバストに固定させている。
【００１３】
また縦方向からブラカップ２を乳房にしっかりと固定させるために、ブラカップ２の上部から背中に位置するベルト部３までストラップ６によって結ばれている。このストラップ６にてブラジャー着用時に乳房へのブラカップ２の固定を縦方向から補っている。図２と図５ではブラカップ上部にＯカンの金具にてストラップとブラカップ上部を繋ぎ胸側でストラップの長さを調整するタイプを用いている。また別にブラカップ上部にブラカップ上部にストラップ６が縫われ背中にストラップを調整するタイプが存在する。本発明では、特にブラカップ上部とストラップの繋ぎ部分に関しては特化していないため代表としてブラカップ上部にＯカンの金具にてストラップとブラカップ上部を繋ぎ胸側でストラップの長さを調整するタイプの形態を図面上採用する。
【００１４】
ブラジャー１は以上の様に、大きく分けて乳房を適正の形状に補正するブラカップ２とそのブラカップ２を乳房に固定させるベルト部３とストラップ６にて構成されている。
尚、本発明では、ブラカップ２の下辺に逢着された土台生地とブラカップ２の脇に逢着されたサイドパネルル生地と左右のサイドパネル生地から側方に延びるベルトをベルト部３と呼称する。そしてベルト部３のサイドラインには、ストレッチテープの縫いつけが施されている。またこのストレッチテープは、ベルト部３のサイドラインからストラップ６へ繋がるブラカップ２の上部にてもストレッチテープがベルト部３のサイドラインから延長して縫いつけが施されている。このストレッチテープによってブラジャー自体１の各部の補強を行っている。市販されているブラカップ２の素材は、ウレタン、ポリウレタン、ナイロン、ポリエステル、綿等にて構成されている。ブラカップ２は複数枚の生地を重ね合わせて出来ており表生地の上には装飾としてレース生地が縫いつけられている。ブラカップ２の内側の肌に接する生地の素材は肌の吸水性を考慮し綿素材が多く使われている。製品によってはブラカップ２の内側にはテープが数本縫いつけられている。ブラカップ２の内側には取り外し可能なパッドを収納する機能が設けられている製品もある。本発明では、ブラカップ２に用いる素材またはブラカップ２を形成する生地の枚数またはブラカップ２の内側に縫いつけられている数本のテープまたはブラカップ内側に取り外し可能なパッドを収納する機能については設計製造段階にてブラジャーの機能・適正に応じて設定する。本発明では、乳房の下側の人体への付け根ラインと言われているバージスラインの事を乳房の基底ライン５と呼称する。
【実施例１】
【００１５】
図１では、実施例１における女性の胸部の左右の乳房の内、身体の左側の乳房を覆い補正するブラカップ周辺を代表例として示している。乳房を包む円錐形の形状としたブラカップ２の外周に接続されたベルト部３の乳房の基底ライン５に沿って、長手方向に半円形の形状のワイヤー７は長手方向に２箇所の溝１２、１３によって３区間にされている。ブラカップ２の外周に接続されたベルト部３の乳房の基底ライン５に沿って設けられ２箇所の溝１２、１３によって３区間にされたワイヤー７について本発明では、胸の中心に位置からブラカップ外周の乳房の基底ライン５に沿ってブラカップの下部の手前までを第１ワイヤー区間として第１ワイヤー区間１５と呼称する。第１ワイヤー区間と第２ワイヤー区間を区切る溝を第１溝１２と呼称する。ブラカップ外周の乳房の基底ライン５に沿って下部部分を第２ワイヤー区間として第２ワイヤー区間１６と呼称する。脇からブラカップ外周の乳房の基底ライン５に沿ってブラカップの下部の手前までを第３ワイヤー区間として第３ワイヤー区間１７と呼称する。第２ワイヤー区間１６と第３ワイヤー区間１７を区切る溝を第２溝１３と呼称する。実施例１で便宜上ワイヤー７の断面積の形状を楕円形を採用し説明している。
【００１６】
ワイヤー７の形状は、円形又は楕円形のどちらの形状でも効果は得られる。ワイヤーから乳房に掛ける圧や乳房からワイヤーに掛かる負荷またはブラジャーの着用感などを考量するとワイヤー７の形状は、楕円形が最も適切である。ブラカップ２の形状や大きさ又はブラジャー自体の価格やその時々のデザインなどを考量し決定する。一方、ワイヤー７の材質は、一般的にブラジャー１のワイヤー７に使用されている金属製のステンレススチール、アモルファス合金、形状記憶合または柔軟性に富んだプラスチック素材や繊維強化プラスチックなど柔軟性に富んだ材質を選定し、どちらの材質でも効果は得られる。ブラカップ２の形状や大きさ又はブラジャー自体の価格やその時々のデザインなどを考量し決定する。ワイヤー７はバイアステープ等で作られた帯状の収納袋（ワイヤーチューブ）に収納されブラジャー本体１に取り付けられている。
【００１７】
第１ワイヤー区間１５と第２ワイヤー区間１６を区切る第１溝１２について述べる。図３は第１ワイヤー区間１５と第２ワイヤー区間１６を区切る第１溝１２の拡大図である。ブラカップ外周の乳房の基底ライン５に沿って設けられているワイヤー７の下面は肌面を向いており上面は外側を向いている。側面の内側はブラカップに接し、他方は外側を向いている。第１溝１２は、図２で示すようにワイヤー７の長手方向側面の内側であるブラカップ２に接している乳房側の面のみに設けられている。第１溝１２の目的は第１ワイヤー区間１５と第２ワイヤー区間１６においてワイヤーに対して負荷変動が起きたときに僅かに第１溝１２を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第１溝１２の深さは決まってくる。第１溝１２の深さが深ければワイヤーの横方向への角度可変量は大きく取れる。逆に第１溝１２の深さが浅ければワイヤーの横方向への角度可変量は小さくなる。ＡカップとＤカップを比べるとＤカップの方が乳房は大きくなり、ワイヤー７の負荷変動が大きくなり第１溝１２の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第１溝１２の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。    
【００１８】
第１溝１２で仕切られた第１ワイヤー区間１５の区間は、胸の中心の位置からブラカップ外周の乳房の基底ライン５に沿ってブラカップ２の下部の手前までの位置であり、乳房に対しては横側から補正の力を加えている。第１溝１２で仕切られた第２ワイヤー区間１６は、ブラカップ外周の乳房の基底ライン５に沿って下部部分の位置であり、乳房に対しては下側から補正の力を加えている。ブラジャー１を着用する人の乳房の形によって第１溝１２の溝の間が広くなったり狭くなったりして第１溝１２を基点に第１ワイヤー区間１５と第２ワイヤー区間１６において乳房への負荷を的圧に調整している。仮にブラジャー１を着用した時にワイヤー７の負荷が第２ワイヤー区間１６に比べて第１ワイヤー区間１５の方が大きいくなる、第１ワイヤー区間＞第２ワイヤー区間となると第１溝１２を基点にして第１ワイヤー区間１５は乳房に対して外側に広がり的圧を維持する。一方、ブラジャー１を着用した時にワイヤー７の負荷が第１ワイヤー区間１５に比べて第２ワイヤー区間１６の方が大きくなる、第１ワイヤー区間＜第２ワイヤー区間となると第１溝１２を基点にして第２ワイヤー区間１６は乳房に対して外側に広がり的圧を維持する。
【００１９】
第２ワイヤー区間１６と第３ワイヤー区間１７を区切る第２溝１３について述べる。図４は第２ワイヤー区間１６と第３ワイヤー区間１７を区切る第２溝１３の拡大図でありる。ブラカップ外周の乳房の基底ライン５に沿って設けられているワイヤーの下面は肌面を向いており、上面は外側を向いている。側面の内側はブラカップ２に接し、他方は外側を向いている。第２溝１３は、図２で示すようにワイヤー長手方向側面の内側であるブラカップ２に接している乳房側の面のみに設けられている。第２溝１３の目的は第２ワイヤー区間１６と第３ワイヤー区間１７においてワイヤー７に対して負荷変動が起きたときに僅かに第２溝１３を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第２溝１３の深さは決まってくる。第２溝１３の深さが深ければワイヤーの横方向への角度可変量は大きく取れる。逆に第２溝１３の深さが浅ければワイヤーの横方向への角度可変量は小さくなる。ＡカップとＤカップを比べるとＤカップの方が乳房は大きくなり、ワイヤー７の負荷変動が大きくなり第１溝１２の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第２溝１３の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。
【００２０】
第２溝１３で仕切られた第３ワイヤー区間１７の区間は、ベルト３の脇からブラカップ外周の乳房の基底ライン５に沿ってブラカップ２の下部の手前までの位置であり、乳房に対しては横側から補正の力を加えている。第２溝１３で仕切られた第２ワイヤー区間１６は、ブラカップ外周の乳房の基底ライン５に沿って下部部分の位置であり、乳房に対しては下側から補正の力を加えている。ブラジャー１を着用する人の乳房の形によって第２溝１３の溝の間が広くなったり狭くなったりして第２溝１３を基点に第２ワイヤー区間１６と第３ワイヤー区間１７において乳房への負荷を的圧に調整している。仮にブラジャー１を着用した時にワイヤー７の負荷が第２ワイヤー区間１６に比べて第３ワイヤー区間１７の方が大きいくなる、第３ワイヤー区間＞第２ワイヤー区間となると第２溝１３を基点にして第３ワイヤー区間１７は乳房に対して外側（脇側）に広がり的圧を維持する。一方、ブラジャー１を着用した時にワイヤー７の負荷が第３ワイヤー区間１７に比べて第２ワイヤー区間１６の方が大きいくなる、第３ワイヤー区間＜第２ワイヤー区間となると第２溝１３を基点にして第２ワイヤー区間１６は乳房に対して外側（下側）に広がり的圧を維持する。
【００２１】
以下、実施例１に記載された本実施形態の作用及び効果について説明する。ブラジャー１を着用する最大の目的は、乳房を適正の形状に補正する事を目的としている。女性の乳房の形は同じではなく千差万別である。ブラカップ２のサイズがＢカップの女性達の中にはＢカップが適正の人もいればＡカップに近いＢカップの人もいるしＣカップに近いＢカップの人もいる。できるだけ理想のバストラインに保つことがブラジャー１に対しての課題でもある。乳房を包む円錐形の形状としたブラカップ部２の外周に接続されたベルト部３の乳房の基底ライン５に沿って、長手方向に半円形の形状のワイヤー７についても、できるだけ理想のバストラインに保つことを目的として設けられている。ブラカップ２の外周に接続されたベルト部３の乳房の基底ライン５に沿って設けられたワイヤー７は乳房を寄せて上げる補正効果には適した方法である。しかしながら難点も幾つか挙げられる。ブラジャー１を着用したときに常に一定の姿勢とは考えにくく、立ったり、座ったり、しゃがんだりするなどの体全体の挙動変化は勿論のこと、手を上下左右に動かす挙動変化はさらに頻繁に行われる。特に左右の手の上下左右に動かす挙動変化はブラジャー１を着用時に乳房への何らかの力学的な作用が働き、乳房を寄せて上げる補正効果の為に設けられたワイヤー７に対しても直接作用しワイヤー７が肌に食い込んだりして不快感や窮屈感などの不快感を感じたりすることが問題視されている。ワイヤー７自体に柔軟性に富んだ材質を使って対応を行ったりワイヤー７の取り付け位置の変更を行い対処しようとしてきたがまだ十分な解消には至っていないのが現状である。本発明ではもう少し踏み込んで考案している。さらに実際の乳房の大きさが使用するブラジャー１のブラカップ２のサイズよりも少し大きい人や少し小さい人に対しても違和感なくワイヤー７が乳房の両横下部の３箇所から的圧を得て乳房を寄せて上げる補正効果えることが本発明の目的でもある。
【００２２】
図３にて第１ワイヤー区間１５と第２ワイヤー区間１６を区切る第１溝１２の作用と効果を説明する。ブラジャー１を着用者の乳房の形状に合わせて第１ワイヤー区間１５は乳房からの力Ｇのバランスを保ち的圧になるように第１溝１２によって調整を行っている。ブラジャー１を着用時に着用者の乳房の形状によって第１ワイヤー区間１５は第１溝１２を基点に第１ワイヤー区間１５が外側へ僅かに開き第１ワイヤー区間１５の乳房への圧を的圧になるように調整している。またブラジャー１の着用者の挙動変化に伴い通常状態よりも乳房からの負荷Ｇが必用以上に第１ワイヤー区間１５に掛かると第１溝１２を基点に第１ワイヤー区間１５が外側へ僅かに開き、負荷Ｇが通常状態に戻れば第１溝１２を基点に第１ワイヤー区間１５が元の位置に戻り第１ワイヤー区間１５の乳房への圧を調整しワイヤーが肌に食い込んだりして不快感や窮屈感などの不快感を改善している。
【００２３】
図３と図４にて第２ワイヤー区間１６の両端にある第１溝１２と第２溝１３による第２ワイヤー区間１６への作用と効果を説明する。ブラジャー１を着用者の乳房の形状に合わせて第２ワイヤー区間１６は乳房からの力Ｇのバランスを保ち的圧になるように第１溝１２と第２溝１３の両溝によって調整を行っている。ブラジャー１を着用時に着用者の乳房の形状によって第２ワイヤー区間１６は第１溝１２と第２溝１３の両溝を基点に第２ワイヤー区間１６が外側へ僅かに開き第２ワイヤー区間１６の乳房への圧を的圧になるように調整している。またブラジャー１の着用者の挙動変化に伴い通常状態よりも乳房の下部への負荷Ｇが必用以上に第２ワイヤー区間１６に掛かると第１溝１２と第２溝１３の両溝を基点に第２ワイヤー区間１６が外側へ僅かに開き、負荷Ｇが通常状態に戻れば第１溝１２と第２溝１３の両溝を基点に第２ワイヤー区間１６が元の位置に戻り第２ワイヤー１６の乳房への圧を調整しワイヤーが肌に食い込んだりして不快感や窮屈感などの不快感を改善している。
【００２４】
図４にて第２ワイヤー区間１６と第３ワイヤー区間１７を区切る第２溝１３の作用と効果を説明する。ブラジャー１を着用者の乳房の形状に合わせて第３ワイヤー区間１７は乳房からの力Ｇのバランスを保ち的圧になるように第２溝１３によって調整を行っている。ブラジャー１を着用時に着用者の乳房の形状によって第３ワイヤー区間１７は第２溝１３を基点に第３ワイヤー区間１７が外側へ僅かに開き第３ワイヤー区間１７の乳房への圧を的圧になるように調整している。またブラジャー１の着用者の挙動変化に伴い通常状態よりも乳房からの負荷Ｇが必用以上に第３ワイヤー区間１７に掛かると第２溝１３を基点に第３ワイヤー区間１７が外側へ僅かに開き、負荷Ｇが通常状態に戻れば第２溝１３を基点に第３ワイヤー区間１７が元の位置に戻り第３ワイヤー区間１７の乳房への圧を調整しワイヤーが肌に食い込んだりして不快感や窮屈感などの不快感を改善している。
【００２５】
ブラジャー１に用いるワイヤー７の柔軟性をはかる為にワイヤー７の素材に柔軟性を持たせた素材が用いられているが、半円状のワイヤ７ーの両端を容易に狭めたり広めたり出来るが、半円状のワイヤー７の中心付近である本実施例の第２ワイヤー区間内１６だけを狭めたり広めたりすることは困難である。通常のブラジャー１のワイヤー７が乳房の下部の基底ライン５を入り込んで食い込んだりするのはワイヤー７が体の挙動変化に追従できていない事が起因と考えられる。第１実施例で特に注目すべき点は、ブラカップ下部にあたる第２ワイヤー区間１６である。第２ワイヤー区間１６は他の第１ワイヤー区間１５と第３ワイヤー区間１７に比べて常に上に位置する乳房からの負荷（圧）Ｇが加わっており、第２ワイヤー区間１６のワイヤー７に掛かる負担は大きい。第１溝１２と第２溝１３の両溝を基点に第２ワイヤー区間内１６のワイヤー７自身の素材が持つ柔軟性に富んだ性能によって第２ワイヤー区間内１６に掛かる体の挙動変化に伴う負荷変動に対応しワイヤー７に対する不快感を軽減し快適な着用感を向上させている。
【００２６】
本発明では、第１溝１２と第２溝１３の溝の形をＶ字型としている。Ｖ字型とすることによって溝の中の対面する面同士がぶつかり合うのを防ぐ目的と溝の反発力を利用している。溝の入り口が最も開口部が広く溝の谷の底に向かうにつれて徐々に狭くなり溝の底は点になっている。このＶ字型の溝に負荷が掛かり溝の幅が狭くなると溝の谷の底付近は間隔が狭くなり反発する力は溝の底へ向かうにつれて段々強くなる。負荷量に対して負荷量に追従するように反発する力が強くなると負荷に対して受け止め支える力が徐々に増すことになる。一種のバネ効果が得られる。逆に負荷が弱まれば負荷量に対して負荷量に追従するように反発する力が弱くなり元のワイヤーの形へと戻る。仮に溝の形が長方形するとどうなるか考察すると、溝に負荷が掛かり溝の幅が狭くなるとワイヤー自体が半円形でもあることから最初に溝の幅が狭くなるのは溝の入り口であり、ある程度の負荷を越えると溝の入り口の角同士がぶつかり合ってしまう。この時点にて溝を基点に横方向にワイヤーの角度可変機能をを失ってしまう。これが頻繁に起きるとワイヤー自体が損傷してしまう事態にもなりかねない。本発明の第１溝１２と第２溝１３の溝の形をＶ字型としなければならない理由はこのことからきている。
【００２７】
本発明では、実施例１について述べるとブラカップ外周の乳房の基底ライン５にワイヤー機構を備えたワイヤー７において、乳房から掛かる負荷またはワイヤーの力によって乳房をブラカップ２内に保持するワイヤー７から乳房に掛ける圧はワイヤー７の長手方向の位置によって異なる。第１ワイヤー区間では担当する区間内では、ワイヤー７から乳房に掛ける圧と乳房から掛かる負荷は主に横方向又は斜め上方向からの作用が主となると共に体の挙動変化によっては隣接する隣の乳房からの負荷の力が加わることも想定される。第２ワイヤー区間では担当する区間内では、ワイヤー７から乳房に掛ける圧と乳房から掛かる負荷は主に上方向からの作用が主となると共に乳房の重さが直接作用する区間でもある。ブラジャーの着用者の体の挙動変化によっては乳房が上下に揺れる事もあり得る。この時には乳房の重さ以上の負荷がワイヤー７に掛かる事が想定され、ブラカップ２とワイヤー７によって締め付けず緩めすぎず柔軟に乳房を支える必用がある。第３ワイヤー区間では担当する区間内では、ワイヤー７から乳房に掛ける圧と乳房から掛かる負荷は主に横方向又は斜め上方向からの作用が主となると共に体の挙動変化によっては乳房が脇方向へと流れてしまう事も想定され、ワイヤー７によって乳房がブラカップ２内から脇方向へと流れる事を抑止しなければならない。即ち、ブラカップ外周の乳房の基底ライン５にワイヤー機構を備えたワイヤー７では、乳房から掛かる負荷またはワイヤー７の力によって乳房をブラカップ２内に保持するワイヤー７から乳房に掛ける圧はワイヤー７の長手方向の位置によって異なり、それは大きく分けて３つに区切ることができる。本発明では、この事に着目し考えられている。ワイヤー７に第１溝１２と第２溝１３を設けて第１ワイヤー区間１５と第２ワイヤー区間１６と第３ワイヤー区間１７の３区間に分け、第１溝１２と第２溝１３を基点にしてワイヤー７にブラカップ２に向けた横方向に対しての角度可変機能を持たせて、３区間の異なる乳房から掛かる負荷またはワイヤー７の力によって乳房をブラカップ２内に保持するワイヤー７から乳房に掛ける圧を調整している。仮に溝を６箇所以上の多数設ければ、ワイヤー７自体の乳房をブラカップ内にホールドして適切にバストを補正機能が消失し、ワイヤー７を設ける意味が全くなくなる。
【実施例２】
【００２８】
図５では、実施例２における女性の胸部の左右の乳房の内、身体の左側の乳房を覆い補正するブラカップ周辺を代表例として示している。乳房を包む円錐形の形状としたブラカップ２の外周に接続されたベルト部３との縫い代部の乳房の基底ライン５に沿って乳房の基底ライン５より２ｍｍ〜１５ｍｍの範囲内にて内側に沿って設けられている長手方向に半円形の形状のワイヤー７はブラカップ２のカップ頂点方向である長手方向内側に面した２箇所に溝２２、２３が設けられている。この２箇所の溝２２、２３によってワイヤー７は３区間にされている。ブラカップ２の外周に接続されたベルト部３との縫い代部８の乳房の基底ラインに５沿って乳房の基底ラインより２ｍｍ〜１５ｍｍの範囲内にてブラカップ２内側に設けられている２箇所の溝によって３区間にされたワイヤー７について本発明では、胸の中心に位置からブラカップ外周の乳房の基底ライン５より２ｍｍ〜１５ｍｍの範囲内にて内側に沿ってブラカップ２の下部の手前までを第１ワイヤー区間として第１ワイヤー区間２５と呼称する。第１ワイヤー区間２５と第２ワイヤー区間２６を区切る溝を第３溝２２と呼称する。ブラカップ外周の乳房の基底ライン５より２ｍｍ〜１５ｍｍの範囲内にて内側に沿って下部部分を第２ワイヤー区間として第２ワイヤー区間２６と呼称する。乳房の基底ライン５より２ｍｍ〜１５ｍｍの範囲内にて内側に位置する脇からブラカップ外周の乳房の基底ライン５より２ｍｍ〜１５ｍｍの範囲内にて内側に沿ってブラカップ２の下部の手前までを第３ワイヤー区間として第３ワイヤー区間２７と呼称する。第２ワイヤー区間２６と第３ワイヤー区間２７を区切る溝を第４溝２３と呼称する。実施例２で便宜上ワイヤー７の断面積の形状を楕円形を採用し説明している。   
【００２９】
ワイヤー７の形状は、円形又は楕円形のどちらの形状でも効果は得られる。ワイヤーから乳房に掛ける圧や乳房からワイヤーに掛かる負荷またはブラジャーの着用感などを考量するとワイヤー７の形状は、楕円形が最も適切である。ブラカップ２の形状や大きさ又はブラジャー自体の価格やその時々のデザインなどを考量し決定する。一方、ワイヤー７の材質は、一般的にブラジャー１のワイヤー７に使用されている金属製のステンレススチール、アモルファス合金、形状記憶合または柔軟性に富んだプラスチック素材や繊維強化プラスチックなど柔軟性に富んだ材質を選定し、どちらの材質でも効果は得られる。ブラカップ２の形状や大きさ又はブラジャー自体の価格やその時々のデザインなどを考量し決定する。ワイヤー７はバイアステープ等で作られた帯状の収納袋（ワイヤーチューブ）に収納されブラジャー本体１に取り付けられている。
【００３０】
通常のワイヤー入りブラジャーに置いてワイヤーが設けられている位置にはブラカップの外周に接続されたベルト部３とを繋ぎ合わせている縫代部８が設けられており、この縫代部８にはワイヤー無しブラジャーと同様に乳房の基底ライン５に沿ってテープが縫われ乳房をブラカップ内にしっかりとホールドするようにしている。
【００３１】
第１ワイヤー区間２５と第２ワイヤー区間２６を区切る第３溝２２について述べる。図６は第１ワイヤー区間２６と第２ワイヤー区間２７を区切る第３溝２２の拡大図である。図５で示すようにブラカップ外周の乳房の基底ライン５より２ｍｍ〜１５ｍｍの範囲内にて内側に沿って設けられている長手方向に半円形の形状のワイヤー７はブラカップ２のカップ頂点４方向である長手方向内側に面した２箇所に第３溝２２と第４溝２３が設けられている。この内、第１ワイヤー区間２５と第２ワイヤー区間２６を区切る第３溝２２の目的は第１ワイヤー区間２５と第２ワイヤー区間２６においてワイヤー７に対して負荷変動が起きたときに僅かに第３溝２２を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第３溝２２の深さは決まってくる。第３溝２２の深さが深ければワイヤーの横方向への角度可変量は大きく取れる。逆に第３溝２２の深さが浅ければワイヤーの横方向への角度可変量は小さくなる。ＡカップとＤカップを比べるとＤカップの方が乳房は大きくなり、ワイヤー７の負荷変動が大きくなり第３溝２２の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第３溝２２の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。
【００３２】
第３溝２２で仕切られた第１ワイヤー区間２５の区間は、胸の中心に位置からブラカップ外周の乳房の基底ライン５より２ｍｍ〜１５ｍｍの範囲内にて内側に沿ってブラカップ２の下部の手前までの位置であり、乳房に対しては横側から補正の力を加えている。第３溝２２で仕切られた第２ワイヤー区間２６は、ブラカップ外周の乳房の基底ライン５より２ｍｍ〜１５ｍｍの範囲内にて内側に沿って下部部分の位置であり、乳房に対しては下側から補正の力を加えている。ブラジャー１を着用する人の乳房の形によって第３溝２２の溝の間が広くなったり狭くなったりして第３溝２２を基点に第１ワイヤー区間２５と第２ワイヤー区間２６において乳房への負荷を的圧に調整している。仮にブラジャー１を着用した時にワイヤーの負荷が第２ワイヤー区間２６に比べて第１ワイヤー区間２５の方が大きいくなる、第１ワイヤー区間＞第２ワイヤー区間となると第３溝２２を基点にして第３ワイヤー区間２５は乳房に対して外側に広がり的圧を維持する。一方、ブラジャー１を着用した時にワイヤー７の負荷が第１ワイヤー区間２５に比べて第２ワイヤー区間２６の方が大きいくなる、第１ワイヤー区間＜第２ワイヤー区間となると第３溝２２を基点にして第２ワイヤー区間２６は乳房に対して外側に広がり的圧を維持する。
【００３３】
第２ワイヤー区間２６と第３ワイヤー区間２７を区切る第４溝２３について述べる。図７は第２ワイヤー区間２６と第３ワイヤー区間２７を区切る第４溝２３の拡大図でありる。図５で示すようにブラカップ外周の乳房の基底ライン５より２ｍｍ〜１５ｍｍの範囲内にて内側に沿って設けられている長手方向に半円形の形状のワイヤー７はブラカップのカップ頂点４方向である長手方向内側に面した２箇所に第３溝２２と第４溝２３が設けられている。この内第２ワイヤー区間２６と第３ワイヤー区間２７を区切る第４溝２３の目的は第２ワイヤー区間２６と第３ワイヤー区間２７においてワイヤー７に対して負荷変動が起きたときに僅かに第４溝２３を基点に横方向に角度可変機能を持たせることにあり、ブラジャー１着用者の乳房の大きさによりブラカップ２の大きさもＡカップ、Ｂカップ、Ｃカップ、Ｄカップと決まってくるわけだがカップの大きさによって第４溝２３の深さは決まってくる。第４溝２３の深さが深ければワイヤーの横方向への角度可変量は大きく取れる。逆に第４溝２３の深さが浅ければワイヤーの横方向への角度可変量は小さくなる。ＡカップとＤカップを比べるとＤカップの方が乳房は大きくなり、ワイヤー７の負荷変動が大きくなり第４溝２３の深さをＡカップよりＤカップの方を深くして、Ａカップより横方向に角度可変機能を持たせる必用がある。また用いるワイヤー７の太さが太ければ少し深くなり、ワイヤー７の太さが細ければ溝の深さは浅くなる。従って溝の深さはブラカップ２の大きさと用いるワイヤー７の太さや形状によって０．１ｍｍ〜１．５ｍｍの範囲内において設計時に決定する。第４溝２３の溝の形はＶ字型となっている。溝の入り口が最も開口部が広く溝の谷の底に向かうにつれて徐々に狭くなり溝の底は点になっている。溝の形をＶ字型とすることでワイヤー７に負荷が掛かり溝の幅が狭くなっても溝の中の対面する面同士がぶつかり合うのを出来るだけ防げるように溝に掛かる負荷を柔軟に受け止める構造としている。
【００３４】
第４溝２３で仕切られた第３ワイヤー区間２７の区間は、ベルト３の脇からブラカップ外周の乳房の基底ライン５より２ｍｍ〜１５ｍｍの範囲内にて内側に沿ってブラカップ２の下部の手前までの位置であり、乳房に対しては横側から補正の力を加えている。第４溝２３で仕切られた第２ワイヤー区間２６は、ブラカップ外周の乳房の基底ライン５より２ｍｍ〜１５ｍｍの範囲内にて内側に沿って下部部分の位置であり、乳房に対しては下側から補正の力を加えている。ブラジャー１を着用する人の乳房の形によって第４溝２３の溝の間が広くなったり狭くなったりして第４溝２３を基点に第２ワイヤー区間２６と第３ワイヤー区間２７において乳房への負荷を的圧に調整している。仮にブラジャー１を着用した時にワイヤー７の負荷が第２ワイヤー区間２６に比べて第３ワイヤー区間２７の方が大きいくなる、第３ワイヤー区間＞第２ワイヤー区間となると第４溝２３を基点にして第３ワイヤー区間２７は乳房に対して外側（脇側）に広がり的圧を維持する。一方、ブラジャー１を着用した時にワイヤー７の負荷が第３ワイヤー区間２７に比べて第２ワイヤー区間２６の方が大きいくなる、第３ワイヤー区間＜第２ワイヤー区間となると第４溝２３を基点にして第２ワイヤー区間２６は乳房に対して外側（下側）に広がり的圧を維持する。
【００３５】
以下、実施例２に記載された本実施形態の作用及び効果について説明する。ブラジャー１を着用する最大の目的は、乳房を適正の形状に補正する事を目的としている。女性の乳房の形は同じではなく千差万別である。ブラカップ２のサイズがＢカップの女性達の中にはＢカップが適正の人もいればＡカップに近いＢカップの人もいるしＣカップに近いＢカップの人もいる。できるだけ理想のバストラインに保つことがブラジャー１に対しての課題でもある。乳房を包む円錐形の形状としたブラカップ２の外周に接続されたベルト３の乳房の基底ライン５に沿って、長手方向に半円形の形状のワイヤー７についても、できるだけ理想のバストラインに保つことを目的として設けられている。ブラカップ２の外周に接続されたベルト３の乳房の基底ライン５に沿って設けられたワイヤー７は乳房を寄せて上げる補正効果には適した方法である。しかしながら難点も幾つか挙げられる。ブラジャー１を着用したときに常に一定の姿勢とは考えにくく、立ったり、座ったり、しゃがんだりするなどの体全体の挙動変化は勿論のこと、手を上下左右に動かす挙動変化はさらに頻繁に行われる。特に左右の手の上下左右に動かす挙動変化はブラジャー１を着用時に乳房への何らかの力学的な作用が働き、乳房を寄せて上げる補正効果の為に設けられたワイヤー７に対しても直接作用しワイヤー７が肌に食い込んだりして不快感や窮屈感などの不快感を感じたりすることが問題視されている。ワイヤー７自体に柔軟性に富んだ材質を使って対応を行ったりワイヤーの取り付け位置の変更を行ったりして対処しようとしてきたがまだ十分な解消には至っていないのが現状である。本発明ではもう少し踏み込んで考案している。さらに実際の乳房の大きさが使用するブラジャー１のブラカップ２のサイズよりも少し大きい人や少し小さい人に対しても違和感なくワイヤー７が乳房の両横下部の３箇所から的圧を得て乳房を寄せて上げる補正効果えることが本発明の目的でもある。
【００３６】
図６にて第１ワイヤー区間２５と第２ワイヤー区間２６を区切る第３溝２２の作用と効果を説明する。ブラジャー１を着用者の乳房の形状に合わせて第１ワイヤー区間２５は乳房からの力Ｇのバランスを保ち的圧になるように第３溝２２によって調整を行っている。ブラジャー１を着用時に着用者の乳房の形状によって第１ワイヤー区間２５は第３溝２２を基点に第１ワイヤー区間２５が外側へ僅かに開き第１ワイヤー区間２５の乳房への圧を的圧になるように調整している。またブラジャー１の着用者の挙動変化に伴い通常状態よりも乳房からの負荷Ｇが必用以上に第１ワイヤー区間２５に掛かると第３溝２２を基点に第１ワイヤー区間２５が外側へ僅かに開き、負荷Ｇが通常状態に戻れば第３溝２２を基点に第１ワイヤー区間２５が元の位置に戻り第１ワイヤー区間２５の乳房への圧を調整しワイヤー７が肌に食い込んだりして不快感や窮屈感などの不快感を改善している。
【００３７】
図５図６にて第２ワイヤー区間２６の両端にある第３溝２２と第４溝２３による第２ワイヤー区間２６への作用と効果を説明する。ブラジャー１を着用者の乳房の形状に合わせて第２ワイヤー区間２６は乳房からの力Ｇのバランスを保ち的圧になるように第３溝２２と第４溝２３の両溝によって調整を行っている。ブラジャー１を着用時に着用者の乳房の形状によって第２ワイヤー区間２６は第３溝２２と第４溝２３の両溝を基点に第２ワイヤー区間２６が外側へ僅かに開き第２ワイヤー区間２６の乳房への圧を的圧になるように調整している。またブラジャー１の着用者の挙動変化に伴い通常状態よりも乳房の下部への負荷Ｇが必用以上に第２ワイヤー区間２６に掛かると第３溝２２と第４溝２３の両溝を基点に第２ワイヤー区間２６が外側へ僅かに開き、負荷Ｇが通常状態に戻れば第３溝２２と第４溝２３の両溝を基点に第２ワイヤー区間２６が元の位置に戻り第２ワイヤー区間２６の乳房への圧を調整しワイヤー７が肌に食い込んだりして不快感や窮屈感などの不快感を改善している。
【００３８】
図６にて第２ワイヤー区間２６と第３ワイヤー区間２７を区切る第４溝２３の作用と効果を説明する。ブラジャー１を着用者の乳房の形状に合わせて第２ワイヤー区間２６は乳房からの力Ｇのバランスを保ち的圧になるように第４溝２３によって調整を行っている。ブラジャー１を着用時に着用者の乳房の形状によって第３ワイヤー区間２７は第４溝２３を基点に第３ワイヤー区間２７が外側へ僅かに開き第３ワイヤー区間２７の乳房への圧を的圧になるように調整している。またブラジャーの着用者の挙動変化に伴い通常状態よりも乳房からの負荷Ｇが必用以上に第３ワイヤー区間２７に掛かると第４溝２３を基点に第３ワイヤー区間２７が外側へ僅かに開き、負荷Ｇが通常状態に戻れば第４溝２３を基点に第３ワイヤー区間２７が元の位置に戻り第３ワイヤー区間２７の乳房への圧を調整しワイヤー７が肌に食い込んだりして不快感や窮屈感などの不快感を改善している。
【００３９】
ブラジャー１に用いるワイヤー７の柔軟性をはかる為にワイヤー７の素材に柔軟性を持たせた素材が用いられているが、半円状のワイヤー７の両端を容易に狭めたり広めたり出来るが、半円状のワイヤー７の中心付近である本実施例２の第２ワイヤー区間内２６だけを狭めたり広めたりすることは困難である。通常のブラジャー１のワイヤー７が乳房の下部の基底ライン５を入り込んで食い込んだりするのはワイヤー７が体の挙動変化に追従できていない事が起因と考えられる。第２実施例で特に注目すべき点は、ブラカップ下部にあたる第２ワイヤー区間２６である。第２ワイヤー区間２６は他の第１ワイヤー区間２５と第３ワイヤー区間２７に比べて常に上に位置する乳房からの負荷（圧）Ｇが加わっており、第２ワイヤー区間２６のワイヤー７に掛かる負担は大きい。第３溝２２と第４溝２３の両溝を基点に第２ワイヤー区間内２６のワイヤー７自身の素材が持つ柔軟性に富んだ性能によって第２ワイヤー区間内２６に掛かる体の挙動変化に伴う負荷変動に対応しワイヤー７に対する不快感を軽減し快適な着用感を向上させている。
【００４０】
本発明では、第３溝２２と第４溝２３の溝の形をＶ字型としている。Ｖ字型とすることによって溝の中の対面する面同士がぶつかり合うのを防ぐ目的と溝の反発力を利用している。溝の入り口が最も開口部が広く溝の谷の底に向かうにつれて徐々に狭くなり溝の底は点になっている。このＶ字型の溝に負荷が掛かり溝の幅が狭くなると溝の谷の底付近は間隔が狭くなり反発する力は溝の底へ向かうにつれて段々強くなる。負荷量に対して負荷量に追従するように反発する力が強くなると負荷に対して受け止め支える力が徐々に増すことになる。一種のバネ効果が得られる。逆に負荷が弱まれば負荷量に対して負荷量に追従するように反発する力が弱くなり元のワイヤーの形へと戻る。仮に溝の形が長方形するとどうなるか考察すると、溝に負荷が掛かり溝の幅が狭くなるとワイヤー自体が半円形でもあることから最初に溝の幅が狭くなるのは溝の入り口であり、ある程度の負荷を越えると溝の入り口の角同士がぶつかり合ってしまう。この時点にて溝を基点に横方向にワイヤーの角度可変機能をを失ってしまう。これが頻繁に起きるとワイヤー自体が損傷してしまう事態にもなりかねない。本発明の第３溝２２と第４溝２３の溝の形をＶ字型としなければならない理由はこのことからきている。
【００４１】
本発明では、実施例２について述べるとブラカップ外周の乳房の基底ライン５にワイヤー機構を備えたワイヤー７において、乳房から掛かる負荷またはワイヤーの力によって乳房をブラカップ２内に保持するワイヤー７から乳房に掛ける圧はワイヤー７の長手方向の位置によって異なる。第１ワイヤー区間では担当する区間内では、ワイヤー７から乳房に掛ける圧と乳房から掛かる負荷は主に横方向又は斜め上方向からの作用が主となると共に体の挙動変化によっては隣接する隣の乳房からの負荷の力が加わることも想定される。第２ワイヤー区間では担当する区間内では、ワイヤー７から乳房に掛ける圧と乳房から掛かる負荷は主に上方向からの作用が主となると共に乳房の重さが直接作用する区間でもある。ブラジャーの着用者の体の挙動変化によっては乳房が上下に揺れる事もあり得る。この時には乳房の重さ以上の負荷がワイヤー７に掛かる事が想定され、ブラカップとワイヤー７によって締め付けず緩めすぎず柔軟に乳房を支える必用がある。第３ワイヤー区間では担当する区間内では、ワイヤー７から乳房に掛ける圧と乳房から掛かる負荷は主に横方向又は斜め上方向からの作用が主となると共に体の挙動変化によっては乳房が脇方向へと流れてしまう事も想定され、ワイヤー７によって乳房がブラカップ２内から脇方向へと流れる事を抑止しなければならない。即ち、ブラカップ外周の乳房の基底ライン５にワイヤー機構を備えたワイヤー７では、乳房から掛かる負荷またはワイヤーの力によって乳房をブラカップ２内に保持するワイヤー７から乳房に掛ける圧はワイヤー７の長手方向の位置によって異なり、それは大きく分けて３つに区切ることができる。本発明では、この事に着目し考えられている。ワイヤー７に第３溝２２と第４溝２３を設けて第１ワイヤー区間２５と第２ワイヤー区間２６と第３ワイヤー区間２７の３区間に分け、第３溝２２と第４溝２３を基点にしてワイヤー７にブラカップ２に向けた横方向に対しての角度可変機能を持たせて、３区間の異なる乳房から掛かる負荷またはワイヤー７の力によって乳房をブラカップ２内に保持するワイヤー７から乳房に掛ける圧を調整している。仮に溝を６箇所以上の多数設ければ、ワイヤー７自体の乳房をブラカップ内にホールドして適切にバストを補正機能が消失し、ワイヤー７を設ける意味が全くなくなる。
【００４２】
実施例２におけるワイヤー７のブラカップ内における設置に関しては、特段限定するものではなく、一例として次の方法が挙げられる。
（１）ワイヤー７が収納されているバイアステープ等で作られた帯状の収納袋（ワイヤーチューブ）が直接、乳房の肌にあらないようにブラカップ内側の肌に接する生地とブラカップ外側の生地との間に設ける方法が挙げられる。従って乳房から見るとブラカップ内側の肌に接する生地そしてワイヤーが収納されているバイアステープ等で作られた帯状の収納袋（ワイヤーチューブ）そしてブラカップ外側の生地となる。
（２）ワイヤー７が収納されているバイアステープ等で作られた帯状の収納袋（ワイヤーチューブ）が直接、乳房の肌に対面するようにブラカップ内側の肌に接する側の生地に設ける方法が挙げられる。従って乳房から見るとワイヤーが収納されているバイアステープ等で作られた帯状の収納袋（ワイヤーチューブ）そしてブラカップ内側の肌に接する生地そしてブラカップ外側の生地となる。
（３）ワイヤー７が収納されているバイアステープ等で作られた帯状の収納袋（ワイヤーチューブ）がブラカップ外側の生地に設ける方法が挙げられる。従って乳房から見るとブラカップ内側の肌に接する生地そしてブラカップ外側の生地そしてワイヤーが収納されているバイアステープ等で作られた帯状の収納袋（ワイヤーチューブ）となる。
【００４３】
またブラカップ内に乳房へのパッド機能を持たせたポリウレタンなどの発泡素材を用いた製品がある。この場合には、ワイヤーは収納しているバイアステープ等で作られた帯状の収納袋（ワイヤーチューブ）に入れず、パッド機能を持たせたポリウレタンなどの発泡素材の中に直接ワイヤー単体７を組み込む方法を用いても良い。
【００４４】
本発明による２箇所の溝によって３区間にされたワイヤー７はブラジャーに限定することなく、ブラカップ外周の乳房の基底ラインにワイヤー機構を備えたブラカップを有する衣類である、ボディスーツ、ブラスリップ、ブラキャミソールなどの衣類に関しても適用しても良い。
【産業上の利用可能性】
【００４５】
本発明は、ブラジャー等の女性用衣類を製造する産業で利用される。
【符号の説明】
【００４６】
１．ブラジャー
２．ブラカップ
３．ベルト部
４．ブラカップの頂点
５．乳房の基底ライン
６．ストラップ
７．ワイヤー
８．縫代部
１２．第１溝
１３．第２溝
１５．第１ワイヤー区間
１６．第２ワイヤー区間
１７．第３ワイヤー区間
２２．第３溝
２３．第４溝
２５．第１ワイヤー区間
２６．第２ワイヤー区間
２７．第３ワイヤー区間
Ｇ．乳房からの力（ワイヤーに掛かる負荷力）
【手続補正２】
【補正対象書類名】特許請求の範囲
【補正対象項目名】全文
【補正方法】変更
【補正の内容】
【特許請求の範囲】
【請求項１】
女性の左右の乳房を覆い補正する左右独立した乳房を包む円錐形の形状としたブラカップと前記ブラカップの下辺から前記ブラカップの脇にかけて側方に延びるベルト及び前記ブラカップの上部を始点に前記ベルトの上辺を終点としたストラップと左右の前記ベルトを背中で連結する前記ベルトの末端に取り付けられた係止台とストレッチテープによって構成されたブラジャーにあって、前記ブラカップの外周である乳房の基底ラインに沿って設けられている長手方向に半円形の形状のワイヤーにおいて、前記ワイヤーは前記ブラカップに面した長手方向内側の２箇所に縦方向の溝とした第１溝と第２溝が設けられ、前記第１溝と前記第２溝を基点として前記第１ワイヤー区間と前記第２ワイヤー区間と前記第３ワイヤー区間の３区間に分けられた前記ワイヤーは、前記第１ワイヤー区間を前記ブラカップ外周上の胸の中心に位置する前記ワイヤー末端を始点として前記ブラカップの下部の手前を終点とし、この前記第１ワイヤー区間の終点である前記ブラカップの下部の手前の位置に前記第１溝が設けられ、前記第３ワイヤー区間を前記ブラカップ外周上の脇に位置する末端を始点とし前記ブラカップの下部の手前を終点とし、この前記第３ワイヤー区間の終点である前記ブラカップの下部の手前の位置に前記第２溝が設けられ、前記第１溝と前記第２溝にはさまれた前記ブラカップの下部部分の区間を前記第２ワイヤー区間とし、前記第１溝と前記第２溝の溝の形をＶ字型とし前記第１溝と前記第２溝のＶ字型溝の深さを０．１ｍｍ〜１．５ｍｍ内の範囲内とする前記ブラカップに面した長手方向内側の２箇所に設けられた前記第１溝と前記第２溝を基点として前記ワイヤーを第１ワイヤー区間と第２ワイヤー区間と第３ワイヤー区間の３区間に分けて、２箇所の前記第１溝と前記第２溝を基点に前記ワイヤーを横方向に対して角度可変機能を持たせ乳房をブラカップ内に包み込み補正させるように構成したことを特徴とするブラジャー。